(57)【要約】【課題】互いに関連のある複数のコンテンツを、容易に取得可能なコンテンツ再生装置および映像表示システムを提供する。【解決手段】選択された選択コンテンツに関連する関連コンテンツを、ネットワークにおいて検索し、関連コンテンツを、記憶手段から検索する。【選択図】図１６
2008227947.tif 000002
【特許請求の範囲】
【請求項１】
ネットワークとデータ通信可能なコンテンツ再生装置であって、
コンテンツを表示する表示手段と、
複数のコンテンツを記憶する記憶手段と、
前記複数のコンテンツのいずれかを選択する選択手段と、
前記選択手段により選択された選択コンテンツを再生し、該選択コンテンツを前記表示手段に表示させる再生手段と、
前記選択コンテンツに関連する関連コンテンツを、前記ネットワークにおいて検索する第１検索手段と、
前記関連コンテンツを、前記記憶手段から検索する第２検索手段と、
前記第１検索手段による検索に基づく情報と、前記第２検索手段による検索に基づく情報とを識別可能なように前記表示手段に表示させる表示制御手段とを備える、コンテンツ再生装置。
【請求項２】
前記表示制御手段により前記表示手段に表示された検索に基づく情報は、前記再生手段により再生されていない未再生の関連コンテンツの情報である、請求項１に記載のコンテンツ再生装置。
【請求項３】
前記記憶手段には、さらに、前記再生手段により再生されたコンテンツの再生履歴が記憶されており、
前記表示制御手段により前記表示手段に表示された検索に基づく情報は、前記再生履歴に基づいて、前記再生手段により再生されていない未再生のコンテンツの情報と、前記再生手段により再生された再生済みコンテンツの情報とを識別可能なようにした情報である、請求項１に記載のコンテンツ再生装置。
【請求項４】
前記再生履歴は、前記再生手段により再生されたコンテンツの再生回数を含み、
前記第１および第２検索手段は、コンテンツの再生回数に基づいて検索する処理を行なう、請求項３に記載のコンテンツ再生装置。
【請求項５】
前記表示制御手段は、前記再生手段による前記選択コンテンツの再生に応じて、前記第１検索手段による検索に基づく情報と、前記第２検索手段による検索に基づく情報とを識別可能なように前記表示手段に表示させる、請求項１に記載のコンテンツ再生装置。
【請求項６】
前記表示制御手段により前記表示手段に表示された検索に基づく情報は、コンテンツの料金情報を含む、請求項１に記載のコンテンツ再生装置。
【請求項７】
前記コンテンツ再生装置は、受信した情報を表示する通信端末装置とデータ通信可能であり、
前記第１検索手段による検索に基づく情報と、前記第２検索手段による検索に基づく情報とを、前記通信端末装置へ送信する送信手段をさらに備える、請求項１に記載のコンテンツ再生装置。
【請求項８】
前記送信手段は、前記通信端末装置において再生が要求されるコンテンツを、前記通信端末装置へ送信する、請求項７に記載のコンテンツ再生装置。
【請求項９】
通信端末装置と、コンテンツ再生装置とを含む映像表示システムであって、
前記コンテンツ再生装置は、
コンテンツを表示する第１表示手段と、
複数のコンテンツを記憶する記憶手段と、
前記複数のコンテンツのいずれかを選択する選択手段と、
前記選択手段により選択された選択コンテンツを再生し、該選択コンテンツを前記第１表示手段に表示させる第１再生手段と、
前記選択コンテンツに関連する関連コンテンツを、前記ネットワークにおいて検索する第１検索手段と、
前記関連コンテンツを、前記記憶手段から検索する第２検索手段と、
前記第１検索手段による検索に基づく情報と、前記第２検索手段による検索に基づく情報とを、前記通信端末装置へ送信する送信手段とを備え、
前記通信端末装置は、
前記送信手段により送信された検索に基づく情報を受信する受信手段と、
受信した検索に基づく情報を表示する第２表示手段とを備える、映像表示システム。
【請求項１０】
前記通信端末装置は、さらに、
コンテンツを再生し、該コンテンツを前記第２表示手段に表示させる第２再生手段と、
前記第２再生手段により再生されたコンテンツの再生履歴である第１再生履歴を記憶する履歴記憶手段と、
前記履歴記憶手段に記憶されている第１再生履歴を、前記コンテンツ再生装置へ送信する履歴送信手段とを備え、
前記コンテンツ再生装置は、さらに、
前記履歴送信手段により送信された前記第１再生履歴を受信する履歴受信手段と、
前記第１再生履歴と、前記第１再生手段により再生されたコンテンツの再生履歴である第２再生履歴とに基づく第３再生履歴を生成する履歴生成手段とを備える、請求項９に記載の映像表示システム。
【請求項１１】
前記送信手段は、前記通信端末装置において再生が要求されるコンテンツを、前記通信端末装置へ送信する、請求項９に記載の映像表示システム。
【発明の詳細な説明】
【技術分野】
【０００１】
本発明は、コンテンツ再生装置および映像表示システムに関し、特に、コンテンツの表示制御を行なうコンテンツ再生装置および映像表示システムに関する。
【背景技術】
【０００２】
近年、ＨＤＤ（Hard disk drive）レコーダ等の録画再生装置の普及により、映像コンテンツを手軽に録画することが可能になっている。そのため、録画再生装置には、すぐに、多くのコンテンツが記憶される。その結果、録画再生装置に録画された、互いに関連性のある複数のコンテンツ（たとえば、連続ドラマ）を、ユーザが、連続して視聴したい場合、多くのコンテンツの中から探しだすといった手間をユーザにかけてしまう。
【０００３】
上記問題を解決するために、特開２００３−３１９３０８号公報（特許文献１）には、録画再生装置から、互いに関連性のある複数のコンテンツ（連続番組）を判定する技術（以下、第１の先行技術ともいう）が開示されている。
【特許文献１】特開２００３−３１９３０８号公報
【発明の開示】
【発明が解決しようとする課題】
【０００４】
第１の先行技術では、自装置内のみで互いに関連のある複数のコンテンツ（連続番組）を検索する。そのため、連続番組としての複数の番組のうち、録画されていない番組が存在する場合、第１の先行技術では、録画されてない番組を、たとえば、非常に多くのコンテンツが存在するインターネット等で検索させるといった手間をユーザにかけてしまうという問題点がある。
【０００５】
本発明は、上述の問題点を解決するためになされたものであって、その目的は、互いに関連のある複数のコンテンツを、容易に取得可能なコンテンツ再生装置を提供することである。
【０００６】
本発明の他の目的は、互いに関連のある複数のコンテンツを、容易に取得可能な映像表示システムを提供することである。
【課題を解決するための手段】
【０００７】
上述の課題を解決するために、この発明のある局面に従うと、ネットワークとデータ通信可能なコンテンツ再生装置は、コンテンツを表示する表示手段と、複数のコンテンツを記憶する記憶手段と、複数のコンテンツのいずれかを選択する選択手段と、選択手段により選択された選択コンテンツを再生し、該選択コンテンツを表示手段に表示させる再生手段と、選択コンテンツに関連する関連コンテンツを、ネットワークにおいて検索する第１検索手段と、関連コンテンツを、記憶手段から検索する第２検索手段と、第１検索手段による検索に基づく情報と、第２検索手段による検索に基づく情報とを識別可能なように表示手段に表示させる表示制御手段とを備える。
【０００８】
好ましくは、表示制御手段により表示手段に表示された検索に基づく情報は、再生手段により再生されていない未再生の関連コンテンツの情報である。
【０００９】
好ましくは、記憶手段には、さらに、再生手段により再生されたコンテンツの再生履歴が記憶されており、表示制御手段により表示手段に表示された検索に基づく情報は、再生履歴に基づいて、再生手段により再生されていない未再生のコンテンツの情報と、再生手段により再生された再生済みコンテンツの情報とを識別可能なようにした情報である。
【００１０】
好ましくは、再生履歴は、再生手段により再生されたコンテンツの再生回数を含み、第１および第２検索手段は、コンテンツの再生回数に基づいて検索する処理を行なう。
【００１１】
好ましくは、表示制御手段は、再生手段による選択コンテンツの再生に応じて、第１検索手段による検索に基づく情報と、第２検索手段による検索に基づく情報とを識別可能なように表示手段に表示させる。
【００１２】
好ましくは、表示制御手段により表示手段に表示された検索に基づく情報は、コンテンツの料金情報を含む。
【００１３】
好ましくは、コンテンツ再生装置は、受信した情報を表示する通信端末装置とデータ通信可能であり、第１検索手段による検索に基づく情報と、第２検索手段による検索に基づく情報とを、通信端末装置へ送信する送信手段をさらに備える。
【００１４】
好ましくは、送信手段は、通信端末装置において再生が要求されるコンテンツを、通信端末装置へ送信する。
【００１５】
この発明の他の局面に従うと、通信端末装置と、コンテンツ再生装置とを含む映像表示システムであって、コンテンツ再生装置は、コンテンツを表示する第１表示手段と、複数のコンテンツを記憶する記憶手段と、複数のコンテンツのいずれかを選択する選択手段と、選択手段により選択された選択コンテンツを再生し、該選択コンテンツを第１表示手段に表示させる第１再生手段と、選択コンテンツに関連する関連コンテンツを、ネットワークにおいて検索する第１検索手段と、関連コンテンツを、記憶手段から検索する第２検索手段と、第１検索手段による検索に基づく情報と、第２検索手段による検索に基づく情報とを、通信端末装置へ送信する送信手段とを備え、通信端末装置は、送信手段により送信された検索に基づく情報を受信する受信手段と、受信した検索に基づく情報を表示する第２表示手段とを備える。
【００１６】
好ましくは、通信端末装置は、さらに、コンテンツを再生し、該コンテンツを第２表示手段に表示させる第２再生手段と、第２再生手段により再生されたコンテンツの再生履歴である第１再生履歴を記憶する履歴記憶手段と、履歴記憶手段に記憶されている第１再生履歴を、コンテンツ再生装置へ送信する履歴送信手段とを備え、コンテンツ再生装置は、さらに、履歴送信手段により送信された第１再生履歴を受信する履歴受信手段と、第１再生履歴と、第１再生手段により再生されたコンテンツの再生履歴である第２再生履歴とに基づく第３再生履歴を生成する履歴生成手段とを備える。
【００１７】
好ましくは、送信手段は、通信端末装置において再生が要求されるコンテンツを、通信端末装置へ送信する。
【発明の効果】
【００１８】
本発明に係るコンテンツ再生装置は、選択された選択コンテンツに関連する関連コンテンツを、ネットワークにおいて検索し、関連コンテンツを、記憶手段から検索する。したがって、選択コンテンツに関連する関連コンテンツを容易に検索することができる。すなわち、互いに関連のある複数のコンテンツを、容易に取得できるという効果を奏する。
【００１９】
本発明に係る映像表示システムは、通信端末装置と、コンテンツ再生装置とを含む。コンテンツ再生装置は、選択された選択コンテンツに関連する関連コンテンツを、ネットワークにおいて検索し、関連コンテンツを、記憶手段から検索する。したがって、選択コンテンツに関連する関連コンテンツを容易に検索することができる。すなわち、互いに関連のある複数のコンテンツを、容易に取得できるという効果を奏する。
【発明を実施するための最良の形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
本発明において取り扱うコンテンツとは、映像、音声、画像などのデジタルデータおよびそれらに関連する関連情報などを意図している。当然のことながら、上記コンテンツと同様の扱い方をされるものであれば、コンテンツはデジタルデータに限定されるものではない。また、コンテンツが、テレビ放送、インターネット放送、携帯電話網などのネットワークを介して提供されるならば、一つのコンテンツが複数のネットワークから提供されることも可能である。
【００２２】
＜第１の実施の形態＞
（システムの構成）
図１は、本実施の形態におけるネットワークシステム１０００の構成を示す図である。図１を参照して、ネットワークシステム１０００には、ホームネットワーク５０１．１，５０１．２，・・・，５０１．ｎが含まれる。以下においては、ホームネットワーク５０１．１，５０１．２，・・・，５０１．ｎ（ｎ：自然数）を総括的に、ホームネットワーク５０１ともいう。
【００２３】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００２４】
通信端末装置５００は、携帯電話である。なお、通信端末装置５００は、携帯電話に限定されることなく、通信機能を備え、携帯可能な装置であればどのような装置（たとえば、ＰＤＡ（Personal Digital Assistance）、ＰＣ（Personal Computer））でもよい。
【００２５】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００２６】
映像表示装置６００は、テレビジョン受信機である。なお、映像表示装置６００は、テレビジョン受信機の一例として、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＰＣ、ＳＴＢ（Set Top Box）、ＨＤＤ（Hard Disk Drive）レコーダ、ＤＶＤ（Digital Versatile Disc）レコーダ等である。この場合、画像データ送信装置と表示装置の接続方法は特に規定されない。つまり、映像表示装置は、それ自身がコンテンツ再生機能を有していても、他のコンテンツ再生装置と接続して再生機能を実現してもよいことになる。
【００２７】
通信端末装置５００と、映像表示装置６００とは、無線または有線でデータ通信を行なう。すなわち、通信端末装置５００と、映像表示装置６００とを含む映像表示システムが構成される。
【００２８】
通信部５０は、通信端末装置５００、映像表示装置６００およびネットワーク７０の各々と、データ通信を行なう機能を有する。ネットワーク７０は、インターネットなどの外部のネットワークである。
【００２９】
通信部５０は、無線ＬＡＮの規格である、ＩＥＥＥ８０２．１１ｇに基づく無線技術を利用して、複数の機器と同時にデータ通信を行なう機能を有する。なお、無線技術は、ＩＥＥＥ８０２．１１ｇに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００３０】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。
【００３１】
したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００３２】
また、ネットワーク７０は、電話網６０と、無線または有線によりデータ通信可能である。したがって、通信端末装置５００は、電話網６０を介して、ネットワーク７０とデータ通信可能である。
【００３３】
ネットワークシステム１０００には、さらに、サービスサーバ８００Ａと、検索サーバ８００Ｓと、Ｗｅｂサーバ８００Ｗとが含まれる。
【００３４】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００３５】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。
【００３６】
また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００３７】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００３８】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００３９】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００４０】
サービスサーバ８００Ａ、検索サーバ８００ＳおよびＷｅｂサーバ８００Ｗの各々は、ネットワーク７０と、無線または有線でデータ通信を行なう。
【００４１】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓ（Mega bit per second）の速度でデータ通信が可能であるとする。
【００４２】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００４３】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００４４】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００４５】
（通信端末装置）
次に、通信端末装置５００について詳細に説明する。
【００４６】
図２は、通信端末装置５００の外観を正面から示した図である。図２を参照して、通信端末装置５００は、表示部５３０と、音声出力部５７０と、ＬＥＤ５７６と、入力部５４０とを備える。
【００４７】
表示部５３０は、文字や画像等を表示する機能を有する。表示部５３０は、ＬＣＤパネル（Liquid Crystal Display Panel）を使用した装置である。なお、表示部５３０は、上記以外の表示方式のパネルを使用した装置であってもよい。
【００４８】
表示部５３０の解像度は、横４８０（ドット）×縦６４０（ドット）である。なお、表示部５３０の解像度は、横４８０（ドット）×縦６４０（ドット）に限定されることなく、他の解像度であってもよい。
【００４９】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００５０】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００５１】
ＬＥＤ５７６は、通信端末装置５００で行なわれる処理に応じて、光による報知を行なう。たとえば、ＬＥＤ５７６は、電話の着信があった場合、光を点滅させる。
【００５２】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。
【００５３】
具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる長時間（たとえば、一秒以上）の押下操作（以下、長押操作ともいう）により、たとえば画面をそれぞれ、上，下，左，右に画面スクロールすることも可能である。
【００５４】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００５５】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００５６】
機能ボタン５４３Ａは、電話をかけるためのボタンである。たとえば、機能ボタン５４３Ａは、後述する数字ボタン群５４６の短押操作により電話番号を入力した後に、短押操作されることで、入力した電話番号の端末装置に電話をかける処理が行なわれる。また、機能ボタン５４３Ａは、通信端末装置５００に電話がかかってきた場合、短押操作により通話開始を行なうためのボタンである。機能ボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００５７】
入力部５４０は、さらに、数字ボタン群５４６を含む。数字ボタン群５４６は、１２個の数字ボタンを含む。なお、数字ボタン群５４６に含まれる数字ボタンの数は、１２個に限定されない。１２個の数字ボタンの各々は、短押操作により、数字、文字または記号等を入力するためのボタンである。１２個の数字ボタンの名称は、それぞれ、０ボタン，１ボタン，２ボタン，３ボタン，４ボタン，５ボタン，６ボタン，７ボタン，８ボタン，９ボタン，記号ボタン１、記号ボタン２という。
【００５８】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００５９】
通信端末装置５００は、さらに、音声入力部５７４と、生体情報取得部５７７とを備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００６０】
生体情報取得部５７７は、人間の生体情報を取得する機能を有する。本実施の形態では、生体情報は、人間の体の一部である指紋をデータ化した情報であるとする。この場合、生体情報は、指紋の画像データ、指紋の特徴部分を抽出したデータ等となる。なお、生体情報は、指紋をデータ化した情報に限定されることなく、静脈、網膜、虹彩、顔等をデータ化した情報であってもよい。また、生体情報は、人間が発した声に基づく声紋等であってもよい。
【００６１】
生体情報取得部５７７は、人間の体の一部が接触すると、接触した体の一部をデータ化した生体情報を、後述する制御部５１０へ送信する。
【００６２】
携帯端末装置５００は、さらに、記録媒体挿入部５５０Ａを備える。記録媒体挿入部５５０Ａは、携帯端末装置５００に後述する記録媒体を挿入する部分である。
【００６３】
図３は、通信端末装置５００の外観を背面から示した図である。図３を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００６４】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００６５】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００６６】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００６７】
図４は、通信端末装置５００の内部構成を示したブロック図である。なお、図４には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００６８】
図４を参照して、通信端末装置５００は、さらに、制御部５１０と、一時記憶部５２２と、記憶部５２０とを備える。
【００６９】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００７０】
制御部５１０は、記憶部５２０に記憶されたプログラム１８０に従って、通信端末装置５００内の各部に対する各種処理や、演算処理等を行なう機能を有する。制御部５１０は、ＣＰＵ（Central Processing Unit）である。なお、制御部５１０は、ＣＰＵに限定されることなく、演算機能を有するその他の回路であってもよい。
【００７１】
一時記憶部５２２は、制御部５１０によってデータアクセスされ、一時的にデータを記憶するワークメモリとして使用される。一時記憶部５２２は、ＤＲＡＭ（Dynamic Random Access Memory）である。なお、一時記憶部５２２は、ＤＲＡＭに限定されることなく、データを揮発的に記憶可能なその他の回路であってもよい。
【００７２】
通信端末装置５００は、さらに、アンテナ５０２と、チューナ５０５と、データ処理部５０７とを備える。
【００７３】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００７４】
放送信号は、画像データ、音声データ、テキストデータ、ＥＰＧ（Electric Program Guide）データを含む。なお、放送信号が、ディジタル放送に基づく信号である場合、放送信号は、さらに、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００７５】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データ、音声データを得るとともに、放送信号の垂直帰線区間（ＶＢＩ：Vertical Blanking Interval）から、テキストデータ、ＥＰＧデータを得る。
【００７６】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００７７】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、ＭＰＥＧ（Moving Picture Experts Group）４形式で圧縮されたデータである。なお、録画データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００７８】
また、受信した放送信号が、ディジタル放送に基づく信号である場合、データ処理部５０７は、以下の処理を行なう。まず、データ処理部５０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ４形式で圧縮されたデータである。なお、デコードデータに含まれる、画像データおよび音声データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００７９】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００８０】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００８１】
通信端末装置５００は、さらに、ＶＤＰ５３２と、ＶＲＡＭ（Video Random Access Memory）５３６とを備える。
【００８２】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００８３】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００８４】
通信端末装置５００は、さらに、入力部５４０と、記録媒体アクセス部５５０を備える。
【００８５】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００８６】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００８７】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００８８】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００８９】
記録媒体５５５は、ＳＤ（Secure Digital（登録商標））メモリーカードである。なお、記録媒体５５５は、ＳＤメモリーカード（登録商標）に限定されることなく、データを不揮発的に記録可能なその他の媒体であってもよい。
【００９０】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００９１】
通信部５６０は、ＵＳＢ（Universal Serial Bus）２．０の規格に基づく、シリアル転送を行なう通信用インターフェースの機能を有する。なお、シリアル転送を行なう通信用インターフェースの規格は、ＵＳＢ２．０に限定されることなく他の規格であってもよい。
【００９２】
なお、通信部５６０は、パラレル転送を行なう通信用インターフェースの機能を有していてもよい。パラレル転送を行なう通信用インターフェースは、たとえば、セントロニクス準拠の規格に準拠したインターフェースである。また、通信部５６０は、ＩＥＥＥ１３９４またはＳＣＳＩ規格に基づく通信用インターフェースの機能を有していてもよい。
【００９３】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【００９４】
通信部５６２は、制御部５１０と、データの送受信を行なう。通信部５６２は、無線ＬＡＮの規格である、ＩＥＥＥ８０２．１１ｇに基づく無線技術を利用してデータ通信を行なう機能を有する。なお、無線技術は、ＩＥＥＥ８０２．１１ｇに基づく技術に限定されることはなく、その他の無線技術であってもよい。したがって、通信部５６２は、無線により、通信部５０とデータ通信を行なうことができる。
【００９５】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００９６】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００９７】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００９８】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【００９９】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【０１００】
通信端末装置５００は、制御部５１０および通信部５６６の処理により、電話網６０を介して、ネットワーク７０からプログラムのダウンロード処理を行ない、記憶部５２０に格納することもできる。この場合、当該ダウンロードしたプログラムは、プログラム１８０である。
【０１０１】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【０１０２】
制御部５１０は、前述した音声出力部５７０，５７２、音声入力部５７４とデータ通信する。
【０１０３】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【０１０４】
ユーザが音声入力部５７４に含まれるマイクに対して音声を発すると、音声入力部５７４は、マイクにより取得した音声を音声データに変換して、音声データを、制御部５１０へ送信する。
【０１０５】
制御部５１０は、前述したＬＥＤ５７６、撮像部５７８および生体情報取得部５７７の各々とデータ通信する。ＬＥＤ５７６は、制御部５１０からの制御指示に基づいて、光を発する。
【０１０６】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【０１０７】
生体情報取得部５７７は、生体情報を取得すると、取得した生体情報（たとえば、指紋情報）を、制御部５１０へ送信する。
【０１０８】
通信端末装置５００は、さらに、振動部５７９を備える。振動部５７９は、制御部５１０からの制御指示に基づいて、振動部５７９自身が振動することにより、通信端末装置５００を振動させる機能を有する。振動部５７９は、たとえば、電話の着信、電子メールの受信時に、制御部５１０からの制御指示に基づいて、通信端末装置５００を振動させる。
【０１０９】
通信端末装置５００は、さらに、ＲＦＩＤ（Radio Frequency Identification）５８０を備える。ＲＦＩＤ５８０は、たとえば、FeliCa（登録商標）などのセキュリティ機能をもったＲＦＩＤに基づく集積回路で、非接触で図示しない読み取り端末と通信を行う。また、ＲＦＩＤ５８０は、制御部５１０からの制御指示に基づいて、端末ＩＤなどのデータを出力する。
【０１１０】
（映像表示装置）
次に、映像表示装置６００について詳細に説明する。
【０１１１】
図５は、映像表示装置６００の内部構成を示したブロック図である。なお、図５には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１１２】
図５を参照して、映像表示装置６００は、表示部６３０と、音声出力部６７０とを備える。表示部６３０は、文字や画像等を表示する機能を有する。表示部６３０は、ＬＣＤパネル（Liquid Crystal Display Panel）を使用した装置である。なお、表示部５３０は、上記以外の表示方式のパネルを使用した装置であってもよい。
【０１１３】
表示部６３０が表示可能な画像のサイズは、表示部５３０が表示可能な画像のサイズより大きい。また、表示部６３０の解像度は、表示部５３０の解像度より大きい。たとえば、表示部６３０の解像度は、横１３６６（ドット）×縦７６８（ドット）の解像度である。なお、表示部６３０の解像度は、横１３６６（ドット）×縦７６８（ドット）に限定されることなく、他の解像度であってもよい。
【０１１４】
音声出力部６７０は、映像表示装置６００の外部に設けられる。音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１１５】
映像表示装置６００は、さらに、制御部６１０と、一時記憶部６２２と、記憶部６２０とを備える。
【０１１６】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤ、その他の各種データ等が記憶されている。
【０１１７】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１１８】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１１９】
映像表示装置６００は、さらに、アンテナ６０２と、チューナ６０５と、データ処理部６０７とを備える。
【０１２０】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１２１】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【０１２２】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【０１２３】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１２４】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、Ｈ．２６４等の形式である。
【０１２５】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、Ｈ．２６４等の形式である。
【０１２６】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１２７】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１２８】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１２９】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１３０】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１３１】
映像表示装置６００は、さらに、ＶＤＰ６３２と、ＶＲＡＭ６３６とを備える。
ＶＲＡＭ６３６は、画像データを一時的に記憶する機能を有する。
【０１３２】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１３３】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１３４】
映像表示装置６００は、さらに、入力部６４０と、記録媒体アクセス部６５０とを備える。
【０１３５】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１３６】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１３７】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１３８】
記録媒体５５５Ａは、ＳＤメモリーカード（登録商標）である。なお、記録媒体５５５は、ＳＤメモリーカード（登録商標）に限定されることなく、データを不揮発的に記録可能なその他の媒体、たとえば、Blu-ray Disc(登録商標)、ＨＤ−ＤＶＤ（High-Definition Digital Versatile Disc）（登録商標）、ＤＶＤ−ＲＯＭ（Digital Versatile Disk Read Only Memory）、ＣＤ−ＲＯＭ（Compact Disk Read Only Memory）、等であってもよい。
【０１３９】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１４０】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。
【０１４１】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１４２】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１４３】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１４４】
なお、前述した通信端末装置５００がリモコン３００の機能を有することも想定でき、通信端末装置５００、リモコン３００は、２つが存在する場合、および一方のみしか存在しない場合なども想定できる。
【０１４５】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１４６】
（サービスサーバ、検索サーバおよびＷｅｂサーバ）
図６は、サービスサーバ８００Ａの内部構成を示したブロック図である。図６を参照して、サービスサーバ８００Ａは、表示部８３０と、制御部８１０と、一時記憶部８２２と、記憶部８２０とを備える。
【０１４７】
表示部８３０は、文字や画像等を表示する機能を有する。表示部８３０は、前述の表示部６３０と同様なものであるので詳細な説明は繰り返さない。
【０１４８】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１４９】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１５０】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１５１】
サービスサーバ８００Ａは、さらに、ＶＤＰ８３２と、ＶＲＡＭ８３６とを備える。
ＶＲＡＭ８３６は、画像データを一時的に記憶する機能を有する。
【０１５２】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１５３】
ＶＤＰ８３２は表示部８３０と接続されている。ＶＤＰ８３２は、制御部８１０からの描画指示に応じて、記憶部５２０内の後述するプログラム１８０Ｂからフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１５４】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１５５】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１５６】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１５７】
なお、検索サーバ８００ＳおよびＷｅｂサーバ８００Ｗの各々も、前述したサービスサーバ８００Ａと同様な構成を有するので詳細な説明は繰り返さない。
【０１５８】
（リモコン）
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１５９】
図７は、一例としてのリモコン画像ＭＧ１００を示す図である。図７を参照して、リモコン画像ＭＧ１００には、ボタン画像ＭＢＧ１１０，ＭＢＧ１２０，ＭＢＧ１３０が配置される。
【０１６０】
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１６１】
ボタン画像ＭＢＧ１１０は、インターフェース操作Ｍにより、押下処理されることで、電源リモコン信号を、映像表示装置６００へ送信するためのボタン画像である。ここで、映像表示装置６００は、待機モードを有する。待機モードとは、表示部６３０に画像を表示させるための電源がオフであるために、表示部６３０が画像を表示できない状態であって、主電源がオフでない状態である。すなわち、待機モードとは、表示部６３０に画像が表示されていない状態であって、主電源がオフでない状態である。以下においては、表示部６３０に画像を表示させるための電源を画像表示電源ともいう。
【０１６２】
したがって、映像表示装置６００が待機モードの場合、電源リモコン信号を受信することにより、画像表示電源がオンされることにより、表示部６３０に画像を表示させることができる。なお、以下においては、画像表示電源がオンの状態の映像表示装置６００を通常モードともいう。すなわち、電源リモコン信号は、映像表示装置６００において、待機モードと、通常モードとを切替えるためのリモコン信号である。
【０１６３】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１６４】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１６５】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１６６】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１６７】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行われた場合、リモコンチャンネル番号は、“１”になる。なお、チャンネルプラスリモコン信号は、ＴＶ画像のチャンネル番号を、１インクリメントさせるためのリモコン信号であってもよい。
【０１６８】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行われた場合、リモコンチャンネル番号は、“１２”になる。なお、チャンネルマイナスリモコン信号は、ＴＶ画像のチャンネル番号を、１デクリメントさせるためのリモコン信号であってもよい。
【０１６９】
リモコン画像ＭＧ１００には、さらに、ボタン画像ＭＢＧ１８０が配置される。ボタン画像ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１７０】
以下においては、通信端末装置５００が、映像表示装置６００へリモコン信号を送信することで映像表示装置６００を操作可能な場合における、通信端末装置５００の動作モードを、リモコンモードともいう。
【０１７１】
なお、リモコンモードの通信端末装置５００において、数字ボタン群５４６に含まれる１２個の数字ボタンのいずれかが短押操作された場合、制御部５１０は、押下された数字ボタンに対応するリモコン信号を出力する。
【０１７２】
（データ通信）
次に、リモコンモードの通信端末装置５００で行なわれる処理（以下、操作判定処理Ｍともいう）と、通信端末装置５００から送信されるリモコン信号を受信した場合に映像表示装置６００で行なわれる処理（以下、制御信号対応処理Ｔともいう）について説明する。
【０１７３】
図８は、操作判定処理Ｍおよび制御信号対応処理Ｔのフローチャートである。図８を参照して、通信端末装置５００が行なう操作判定処理Ｍでは、まず、ステップＳ１０の処理が行なわれる。
【０１７４】
ステップＳ１０では、制御部５１０が、制御操作があるか否かを判定する。ここで、制御操作は、表示部５３０に対するタッチ操作、または、通信端末装置５００の外部に設けられた複数の外部ボタンのいずれかの押下操作である。
【０１７５】
複数の外部ボタンは、方向ボタン５４１Ａ，５４１Ｂ，５４１Ｃ，５４１Ｄ、決定ボタン５４１Ｅ、機能ボタン５４２Ａ，５４２Ｂ，５４３Ａ，５４３Ｂ、数字ボタン群５４６に含まれる１２個の数字ボタンである。ステップＳ１０において、ＹＥＳならば、ステップＳ１２に進む。一方、ステップＳ１０において、ＮＯならば、再度、ステップＳ１０の処理が行なわれる。
【０１７６】
ステップＳ１２では、制御部５１０が、通信部５６０を利用して、制御操作に対応する、映像表示装置６００を操作するための制御信号としてのリモコン信号を、映像表示装置６００へ送信する。ステップＳ１２の処理が終了すると、再度、ステップＳ１０の処理が行なわれる。
【０１７７】
映像表示装置６００が行なう制御信号対応処理Ｔでは、まず、ステップＳ２０の処理が行なわれる。
【０１７８】
ステップＳ２０では、制御部６１０が、制御信号としてのリモコン信号を受信したか否かを判定する。ステップＳ２０において、ＹＥＳならば、ステップＳ２２に進む。一方、ステップＳ２０において、ＮＯならば、再度、ステップＳ２０の処理が行なわれる。
【０１７９】
ステップＳ２２では、制御信号対応処理が行なわれる。制御信号対応処理では、制御部６１０が、受信したリモコン信号に応じた処理を行なう。ステップＳ２２の処理が終了すると、再度、ステップＳ２０の処理が行なわれる。
【０１８０】
（コンテンツの再生）
次に、映像表示装置６００においてコンテンツを再生するための処理について説明する。ここで、映像表示装置６００が、前述の録画処理を複数回行なうことにより、記憶部６２０には、コンテンツとしての複数の録画データが記憶されているとする。なお、映像表示装置６００において、録画データが記憶される毎に、記憶された録画データに関する情報（以下、録画データ情報ともいう）が、記憶部６２０に記憶される。したがって、記憶部６２０には、複数の録画データ情報から構成される以下の録画データ管理テーブルＴＤ１００が記憶されているとする。
【０１８１】
図９は、一例としての録画データ管理テーブルＴＤ１００を示す図である。前述したように、録画データ管理テーブルＴＤ１００は、複数の録画データ情報から構成される。複数の録画データ情報は、それぞれ、記憶部６２０に記憶されている複数の録画データに対応する情報である。前述したように、複数の録画データ情報の各々は、対応する録画データに関する情報を示す。
【０１８２】
図９を参照して、録画データ管理テーブルＴＤ１００において、「番号」とは、複数の録画データ情報のいずれかを特定するための番号である。「コンテンツ形態」とは、対応する録画データのコンテンツの形態を示す。「コンテンツ形態」の項目が、たとえば、「放送（１）」である場合、対応する録画データは、１チャンネルの放送信号に基づくコンテンツを録画したデータとなる。
【０１８３】
「ファイル作成日時」とは、録画データが作成された日時を示す。「録画期間」とは、録画データを生成するための録画処理が行なわれた期間を示す。「時間」とは、録画データの再生時間を示す。「タイトル」とは、録画データのタイトルを示す。「内容」は、録画データの内容を簡単に示すものである。なお、「タイトル」、「内容」等の情報は、放送信号に含まれるＥＰＧデータに基づくものである。
【０１８４】
ここで、映像表示装置６００が、サービスサーバ８００Ａから複数のコンテンツをダウンロードすることにより、記憶部６２０には、複数のコンテンツが記憶されているとする。以下においては、映像表示装置６００が、サービスサーバ８００Ａからダウンロードしたコンテンツを、ＤＬコンテンツともいう。ＤＬコンテンツは、音声を伴う映像データである。なお、映像表示装置６００において、ＤＬコンテンツが記憶される毎に、記憶されたＤＬコンテンツに関する情報（以下、ＤＬコンテンツ情報ともいう）が、記憶部６２０に記憶される。したがって、記憶部６２０には、複数のＤＬコンテンツ情報から構成される以下のＤＬコンテンツ管理テーブルＴＤ１１０が記憶されているとする。
【０１８５】
図１０は、一例としてのＤＬコンテンツ管理テーブルＴＤ１１０を示す図である。前述したように、ＤＬコンテンツ管理テーブルＴＤ１１０は、複数のＤＬコンテンツ情報から構成される。複数のＤＬコンテンツ情報は、それぞれ、記憶部６２０に記憶されている複数のＤＬコンテンツに対応する情報である。前述したように、複数のＤＬコンテンツ情報の各々は、対応するＤＬコンテンツに関する情報を示す。
【０１８６】
図１０を参照して、ＤＬコンテンツ管理テーブルＴＤ１１０において、「番号」とは、複数のＤＬコンテンツ情報のいずれかを特定するための番号である。「コンテンツ形態」とは、対応するＤＬコンテンツのコンテンツの形態を示す。「コンテンツ形態」の項目が、「インターネット（ＤＬ）」である場合、対応するＤＬコンテンツは、サービスサーバ８００Ａからダウンロードされたコンテンツである。
【０１８７】
「ファイル作成日時」とは、ＤＬコンテンツがサービスサーバ８００Ａからダウンロードされた日時を示す。「時間」とは、ＤＬコンテンツの再生時間を示す。「タイトル」とは、ＤＬコンテンツのタイトルを示す。「内容」とは、ＤＬコンテンツの内容を簡単に示すものである。「キーワード」とは、ＤＬコンテンツに関連するキーワードである。キーワードは、ＤＬコンテンツの出演者名、ＤＬコンテンツのジャンル等が設定される。キーワードは、サービスの提供側が、予め設定したものである。
【０１８８】
ここで、サービスサーバ８００Ａがストリーミング配信可能なコンテンツをＶＯＤ（Video On Demand）コンテンツともいう。ＶＯＤコンテンツは、音声を伴う映像データである。サービスサーバ８００Ａの記憶部８２０には、複数のＶＯＤコンテンツが記憶されている。複数のＶＯＤコンテンツの各々の情報は、サービスサーバ８００Ａが提供するコンテンツ配信リストに記述されている。コンテンツ配信リストは、サービスサーバ８００Ａに対し、取得要求を行なうことにより得られるリストである。
【０１８９】
ここで、映像表示装置６００が、サービスサーバ８００Ａに対し、コンテンツ配信リストの取得要求を行なうことにより、コンテンツ配信リストを取得し、映像表示装置６００の記憶部６２０にコンテンツ配信リストを記憶させたとする。ここで、映像表示装置６００の記憶部６２０には、以下のコンテンツ配信リストＳＤ２００が記憶されているとする。
【０１９０】
図１１は、一例としてのコンテンツ配信リストＳＤ２００を示す図である。コンテンツ配信リストＳＤ２００は、複数のＶＯＤコンテンツ情報から構成される。複数のＶＯＤコンテンツ情報は、それぞれ、サービスサーバ８００Ａの記憶部８２０に記憶されている複数のＶＯＤコンテンツに対応する情報である。複数のＶＯＤコンテンツ情報の各々は、対応するＶＯＤコンテンツに関する情報を示す。
【０１９１】
図１１を参照して、コンテンツ配信リストＳＤ２００において、「番号」とは、複数のＶＯＤコンテンツ情報のいずれかを特定するための番号である。「ファイル作成日時」とは、ＶＯＤコンテンツが作成された日時を示す。「時間」とは、ＶＯＤコンテンツの再生時間を示す。「タイトル」とは、ＶＯＤコンテンツのタイトルを示す。「内容」とは、ＶＯＤコンテンツの内容を簡単に示すものである。「キーワード」とは、ＶＯＤコンテンツに関連するキーワードである。キーワードは、ＶＯＤコンテンツの出演者名、ＶＯＤコンテンツのジャンル等が設定される。キーワードは、サービスの提供側が、予め設定したものである。「価格」とは、対応するＶＯＤコンテンツを視聴するために必要な料金である。
【０１９２】
次に、映像表示装置６００においてコンテンツを再生するための処理（以下、コンテンツ再生処理Ｔともいう）について説明する。
【０１９３】
図１２は、コンテンツ再生処理Ｔのフローチャートである。図１２を参照して、ステップＳ１４０では、制御部６１０が、コンテンツ再生操作があるか否かを判定する。コンテンツ再生操作は、リモコンモードの通信端末装置５００において行なわれる、コンテンツ（たとえば、録画データ、ＤＬコンテンツおよびＶＯＤコンテンツ等）を再生させるためのインターフェース操作Ｍである。制御部６１０は、コンテンツ再生操作に基づくリモコン信号を通信端末装置５００から受信した場合、コンテンツ再生操作があったと判定する。ステップＳ１４０において、ＹＥＳならば、ステップＳ１４１に進む。一方、ステップＳ１４０において、ＮＯならば、再度、ステップＳ１４０の処理が行なわれる。
【０１９４】
ここでは、図９の録画データ管理テーブルＴＤ１００に示される、番号“１”の録画データ情報に対応する録画データを再生させるためのコンテンツ再生操作があったとする。この場合、ステップＳ１４１に進む。以下においては、コンテンツ再生操作により再生の対象となったコンテンツを再生対象コンテンツともいう。再生対象コンテンツは、録画データ、ＤＬコンテンツおよびＶＯＤコンテンツのいずれかである。
【０１９５】
ステップＳ１４１では、制御部６１０が、再生処理Ｔを実行する。再生処理Ｔは、他の処理とは独立して行なわれる処理である。そして、ステップＳ１４１の処理は終了する。
【０１９６】
再生処理Ｔでは、制御部６１０が、ＶＤＰ６３２を利用して、再生対象コンテンツを再生し、再生対象コンテンツに基づく画像（以下、コンテンツ画像ともいう）を表示部６３０に表示させる。なお、再生処理Ｔは、再生対象コンテンツの再生の終了に伴い、終了する。
【０１９７】
ステップＳ１４１の処理の後、ステップＳ１４２に進む。
ステップＳ１４２では、制御部６１０が、再生対象コンテンツの再生が終了したか否かを判定する。ステップＳ１４２において、ＹＥＳならば、ステップＳ１４３に進む。一方、ステップＳ１４２において、ＮＯならば、再度、ステップＳ１４２の処理が行なわれる。ここでは、再生対象コンテンツの再生が終了したとして、ステップＳ１４３に進む。
【０１９８】
ステップＳ１４３では、再生済コンテンツ情報記憶処理Ｔが行なわれる。再生済コンテンツ情報記憶処理Ｔでは、制御部６１０が、再生履歴テーブルに、再生済コンテンツ情報を記録する。ここで、記憶部６２０には、以下の再生履歴テーブルＴＤ２００が記憶されているとする。
【０１９９】
図１３は、一例としての再生履歴テーブルＴＤ２００を示す図である。図１３を参照して、再生履歴テーブルＴＤ２００は、複数の再生済コンテンツ情報から構成される。複数の再生済コンテンツ情報の各々は、再生された、録画データ、ＤＬコンテンツおよびＶＯＤコンテンツのいずれかに関する情報である。再生履歴テーブルＴＤ２００において、「番号」とは、複数の再生済コンテンツ情報のいずれかを特定するための番号である。「再生日時」とは、対応するコンテンツが再生された最新の日時を示す。「コンテンツ形態」、「ファイル作成日時」、「タイトル」、「内容」の項目は、図９、図１０、図１１で説明したので詳細な説明は繰り返さない。「再生回数」とは、対応する再生済コンテンツ情報により特定されるコンテンツの再生回数を示す。「装置ＩＤ」とは、対応する再生済コンテンツ情報により特定されるコンテンツを再生した装置を識別するための情報である。ここで、映像表示装置６００の装置ＩＤは、“１１ＴＡ”であるとする。
【０２００】
再び、図１２を参照して、ステップＳ１４３の再生済コンテンツ情報記憶処理Ｔでは、再生履歴テーブルにおいて、再生対象コンテンツに対応する再生済コンテンツ情報がある場合、制御部６１０が、再生対象コンテンツに対応する再生済コンテンツ情報に示される再生回数を１インクリメントする。一方、再生履歴テーブルにおいて、再生対象コンテンツに対応する再生済コンテンツ情報がない場合、制御部６１０は、再生対象コンテンツの再生済コンテンツ情報を、再生履歴テーブルに追加する。なお、追加された再生対象コンテンツの再生済コンテンツ情報に示される再生回数は、“１”となる。
【０２０１】
ここで、再生対象コンテンツは、図９の録画データ管理テーブルＴＤ１００に示される、番号“１”の録画データ情報に対応する録画データであるとする。また、再生履歴テーブルは、図１３の再生履歴テーブルＴＤ２００であるとする。この場合、再生済コンテンツ情報記憶処理Ｔでは、制御部６１０が、再生履歴テーブルＴＤ２００において、番号“２”の再生済コンテンツ情報に示される再生回数（２）を１インクリメントする。再生済コンテンツ情報記憶処理Ｔが終了すると、このコンテンツ再生処理Ｔは終了する。
【０２０２】
（関連コンテンツの検索）
次に、映像表示装置６００において、再生されているコンテンツに対し関連性の高い関連コンテンツを検索するための処理（以下、関連コンテンツ検索処理Ｔともいう）について説明する。
【０２０３】
図１４は、関連コンテンツ検索処理Ｔのフローチャートである。図１４を参照して、ステップＳ２４０では、制御部６１０が、リスト表示操作があるか否かを判定する。リスト表示操作は、複数の録画データ特定情報をリスト表示させるための操作である。複数の録画データ特定情報は、それぞれ、図９の録画データ管理テーブルＴＤ１００を構成する複数の録画データ情報に対応する情報である。ここで、図７のボタン画像ＭＢＧ１８０が、複数の録画データ特定情報のリスト表示を行なうためのボタン画像であるとする。この場合、リスト表示操作は、ボタン画像ＭＢＧ１８０を押下処理するためのインターフェース操作Ｍとなる。
【０２０４】
制御部６１０は、ボタン画像ＭＢＧ１８０の押下処理に基づくリモコン信号を通信端末装置５００から受信した場合、リスト表示操作があったと判定する。ステップＳ２４０において、ＹＥＳならば、処理はＳ２４１に進む。一方、ステップＳ２４０において、ＮＯならば、再度、ステップＳ２４０の処理が行なわれる。ここでは、リスト表示操作があったとして、ステップＳ２４１に進む。
【０２０５】
ステップＳ２４１では、リスト表示処理Ｔが行なわれる。リスト表示処理Ｔでは、制御部６１０が、ＶＤＰ６３２を利用して、複数の録画データ特定情報をリスト表示した以下の録画リスト画像Ｇ１００を生成し、録画リスト画像Ｇ１００を表示部６３０に表示させる。そして、ステップＳ２４１の処理は終了する。
【０２０６】
図１５は、一例としての録画リスト画像Ｇ１００を示す図である。図１５を参照して、録画リスト画像Ｇ１００には、複数の録画データ特定情報がリスト表示される。前述したように、複数の録画データ特定情報は、それぞれ、図９の録画データ管理テーブルＴＤ１００を構成する複数の録画データ情報に対応する情報である。複数の録画データ特定情報の各々は、対応する録画データ情報が示す「タイトル」および「内容」を含む。また、複数の録画データ特定情報の各々は、対応する録画データ情報に対応する録画データを特定するための情報である。
【０２０７】
録画リスト画像Ｇ１００には、さらに、選択枠ＳＬ１１０が配置される。選択枠ＳＬ１１０は、複数の録画データ特定情報のうちの１つを選択するための枠である。選択枠ＳＬ１１０は、リモコンモードの通信端末装置５００において、方向ボタン５４１Ａを押下されることにより上に移動する。また、選択枠ＳＬ１１０は、リモコンモードの通信端末装置５００において、方向ボタン５４１Ｂを押下されることにより下に移動する。
【０２０８】
再び、図１４を参照して、ステップＳ２４１の処理の後、ステップＳ２４２に進む。
ステップＳ２４２では、制御部６１０が、再生操作Ｔがあるか否かを判定する。再生操作Ｔは、選択枠ＳＬ１１０により選択されている録画データ特定情報により特定される録画データを再生するための操作である。具体的には、再生操作Ｔは、選択枠ＳＬ１１０により録画データ特定情報が選択されている状態で、リモコンモードの通信端末装置５００において行なわれる、決定ボタン５４１Ｅを押下する操作である。制御部６１０は、録画データ特定情報が選択されている状態で、決定ボタン５４１Ｅに基づくリモコン信号を通信端末装置５００から受信した場合、再生操作Ｔがあったと判定する。ステップＳ２４２において、ＹＥＳならば、ステップＳ２４３に進む。一方、ステップＳ２４２において、ＮＯならば、再度、ステップＳ２４２の処理が行なわれる。
【０２０９】
ここでは、図１５に示される「タイトル」が「ドラマＡＡ」であり、「内容」が「第１話・・・」である録画データ特定情報により特定される録画データを再生するための再生操作Ｔがあったとして、ステップＳ２４３に進む。以下においては、再生操作Ｔにより再生の対象となったコンテンツを再生対象コンテンツＴともいう。
【０２１０】
ステップＳ２４３では、制御部６１０が、再生処理Ｔを実行する。再生処理Ｔは、他の処理とは独立して行なわれる処理である。そして、ステップＳ２４３の処理は終了する。
【０２１１】
再生処理Ｔでは、制御部６１０が、ＶＤＰ６３２を利用して、再生対象コンテンツＴを再生し、再生対象コンテンツＴに基づく画像（以下、コンテンツ画像ともいう）を表示部６３０に表示させる。なお、再生処理Ｔは、再生対象コンテンツＴの再生の終了に伴い、終了する。
【０２１２】
ステップＳ２４３の処理の後、ステップＳ２４４に進む。
ステップＳ２４４では、再生対象コンテンツＴが再生されてから所定時間経過したか否かが判定される。具体的には、制御部６１０が、再生処理Ｔにより、再生対象コンテンツＴが所定時間以上再生されたか否かを判定する。所定時間は、たとえば、５分であるとする。ステップＳ２４４において、ＹＥＳならば、ステップＳ２４５に進む。一方、ステップＳ２４４において、ＮＯならば、再度、ステップＳ２４４の処理が行なわれる。ここでは、再生対象コンテンツＴが再生されてから所定時間経過したとして、ステップＳ２４５に進む。
【０２１３】
ステップＳ２４５では、再生対象コンテンツＴの再生回数が所定回数以上であるか否かが判定される。具体的には、制御部６１０が、図１３の再生履歴テーブルＴＤ２００を構成する複数の再生済コンテンツ情報において、再生対象コンテンツＴに対応する再生済コンテンツ情報が示す再生回数が所定回数以上であるか否かを判定する。ここで、所定回数は、たとえば、“２”であるとする。なお、図１３の再生履歴テーブルＴＤ２００を構成する複数の再生済コンテンツ情報において、再生対象コンテンツＴに対応する再生済コンテンツ情報がない場合は、再生対象コンテンツＴの再生回数は、現在、再生対象コンテンツＴが再生されていることにより“１”となる。ステップＳ２４５において、ＹＥＳならば、ステップＳ２５０に進む。一方、ステップＳ２４５において、ＮＯならば、この関連コンテンツ検索処理Ｔは終了する。
【０２１４】
ここで、再生対象コンテンツＴは、「タイトル」が「ドラマＡＡ」であり、「内容」が「第１話・・・」である録画データであるとする。この場合、再生履歴テーブルＴＤ２００において、再生対象コンテンツＴに対応する再生済コンテンツ情報は、番号“２”の再生済コンテンツ情報となる。この場合、番号“２”の再生済コンテンツ情報が示す再生回数は、“２”であるので、ステップＳ２４５において、ＹＥＳと判定され、ステップＳ２５０に進む。
【０２１５】
ステップＳ２５０では、検索処理Ｔが行なわれる。検索処理Ｔは、現在再生中の再生対象コンテンツＴに対し関連性の高い関連コンテンツを検索するための処理である。
【０２１６】
図１６は、検索処理Ｔのフローチャートである。図１６を参照して、ステップＳ２５１では、制御部６１０が、再生対象コンテンツＴのタイトルを取得する。ここで、取得された再生対象コンテンツＴのタイトルは、「ドラマＡＡ」であるとする。そして、ステップＳ２５２に進む。
【０２１７】
ステップＳ２５２では、録画データ対象検索処理が行なわれる。録画データ対象検索処理では、記憶部６２０に記憶されている複数の録画データのうち、再生対象コンテンツＴに対し関連性の高い録画データが検索される。具体的には、制御部６１０が、記憶部６２０に記憶されている録画データ管理テーブルを構成する複数の録画データ情報のうち、再生対象コンテンツＴのタイトルと一致するタイトルを示す録画データ情報（以下、一致録画データ情報ともいう）を検索する。
【０２１８】
一致録画データ情報が存在する場合、制御部６１０は、一致録画データ情報に基づいて、関連コンテンツリストを生成する。そして、制御部６１０は、生成した関連コンテンツリストを記憶部６２０に記憶させる。以下においては、記憶部６２０に記憶されている関連コンテンツリストを、生成済関連コンテンツリストともいう。そして、ステップＳ２５２の処理は終了する。
【０２１９】
一方、一致録画データ情報が存在しない場合は、関連コンテンツリストが生成されず、ステップＳ２５２の処理は終了する。
【０２２０】
ここで、再生対象コンテンツＴのタイトルは「ドラマＡＡ」であるとする。また、録画データ管理テーブルは、図９の録画データ管理テーブルＴＤ１００であるとする。この場合、録画データ対象検索処理において、以下の関連コンテンツリストＴＤ３００が生成される。
【０２２１】
図１７は、一例としての関連コンテンツリストＴＤ３００を示す図である。関連コンテンツリストＴＤ３００は、複数の関連コンテンツ情報から構成される。ここで、関連コンテンツリストＴＤ３００を構成する複数の関連コンテンツ情報は、それぞれ、複数の一致録画データ情報である。「番号」は、複数の関連コンテンツ情報を特定するための番号である。なお、関連コンテンツリストＴＤ３００に示される各項目は、図９、図１０、図１１等で説明したので詳細な説明は繰り返さない。
【０２２２】
関連コンテンツリストＴＤ３００において、たとえば、番号“２”の関連コンテンツ情報は、図９の番号“３”の録画データ情報に基づく情報である。
【０２２３】
再び、図１６を参照して、ステップＳ２５２の処理の後、ステップＳ２５３に進む。
ステップＳ２５３では、ＤＬコンテンツ対象検索処理が行なわれる。ＤＬコンテンツ対象検索処理では、記憶部６２０に記憶されている複数のＤＬコンテンツのうち、再生対象コンテンツＴに対し関連性の高いＤＬコンテンツが検索される。具体的には、制御部６１０が、記憶部６２０に記憶されているＤＬコンテンツ管理テーブルを構成する複数のＤＬコンテンツ情報のうち、再生対象コンテンツＴのタイトルと一致するタイトルを示すＤＬコンテンツ情報（以下、一致ＤＬコンテンツ情報ともいう）を検索する。
【０２２４】
また、制御部６１０は、記憶部６２０に記憶されているＤＬコンテンツ管理テーブルを構成する複数のＤＬコンテンツ情報のうち、再生対象コンテンツＴのタイトルに含まれる文字列と一致するキーワードを示すＤＬコンテンツ情報（以下、部分一致ＤＬコンテンツ情報ともいう）を検索する。
【０２２５】
一致ＤＬコンテンツ情報および部分一致ＤＬコンテンツ情報の少なくとも一方が存在し、かつ、記憶部６２０に生成済関連コンテンツリストが記憶されている場合、制御部６１０は、一致ＤＬコンテンツ情報および部分一致ＤＬコンテンツ情報のうち存在する情報と、生成済関連コンテンツリストとに基づいて、関連コンテンツリストを生成する。そして、制御部６１０は、生成した関連コンテンツリストを記憶部６２０に記憶させる。そして、ステップＳ２５３の処理は終了する。
【０２２６】
また、一致ＤＬコンテンツ情報および部分一致ＤＬコンテンツ情報の少なくとも一方が存在し、記憶部６２０に生成済関連コンテンツリストが記憶されていない場合、制御部６１０は、一致ＤＬコンテンツ情報および部分一致ＤＬコンテンツ情報のうち存在する情報に基づいて、関連コンテンツリストを生成する。そして、制御部６１０は、生成した関連コンテンツリストを記憶部６２０に記憶させる。そして、ステップＳ２５３の処理は終了する。
【０２２７】
なお、一致ＤＬコンテンツ情報および部分一致ＤＬコンテンツ情報がない場合は、関連コンテンツリストが生成されず、ステップＳ２５３の処理は終了する。
【０２２８】
ここで、再生対象コンテンツＴのタイトルは「ドラマＡＡ」であるとする。また、ＤＬコンテンツ管理テーブルは、図１０のＤＬコンテンツ管理テーブルＴＤ１１０であるとする。また、記憶部６２０には、図１７の関連コンテンツリストＴＤ３００が記憶されているとする。この場合、ＤＬコンテンツ対象検索処理において、以下の関連コンテンツリストＴＤ３００Ａが生成される。
【０２２９】
図１８は、一例としての関連コンテンツリストＴＤ３００Ａを示す図である。図１８を参照して、関連コンテンツリストＴＤ３００Ａは、図１７の関連コンテンツリストＴＤ３００と比較して、番号“３”、“４”の関連コンテンツ情報が追加されている点が異なる。それ以外は、関連コンテンツリストＴＤ３００と同様なので詳細な説明は繰り返さない。
【０２３０】
関連コンテンツリストＴＤ３００Ａにおいて、番号“３”の関連コンテンツ情報は、図１０の番号“３”のＤＬコンテンツ情報に基づく情報である。関連コンテンツリストＴＤ３００Ａにおいて、番号“４”の関連コンテンツ情報は、図１０の番号“５”のＤＬコンテンツ情報に基づく情報である。すなわち、番号“４”の関連コンテンツ情報は、前述した部分一致ＤＬコンテンツ情報に基づく情報である。
【０２３１】
再び、図１６を参照して、ステップＳ２５３の処理の後、ステップＳ２５４に進む。
ステップＳ２５４では、ネットワークコンテンツ対象検索処理が行なわれる。ネットワークコンテンツ対象検索処理では、ネットワーク７０を介して取得可能である、再生対象コンテンツＴに対し関連性の高いコンテンツが検索される。すなわち、ネットワークコンテンツ対象検索処理では、インターネット等のネットワークにおいて、再生対象コンテンツＴに対し関連性の高いコンテンツが検索される。
【０２３２】
具体的には、制御部６１０が、記憶部６２０に記憶されているコンテンツ配信リストを構成する複数のＶＯＤコンテンツ情報のうち、再生対象コンテンツＴのタイトルと一致するタイトルを示すＶＯＤコンテンツ情報（以下、一致ＶＯＤコンテンツ情報ともいう）を検索する。
【０２３３】
また、制御部６１０は、記憶部６２０に記憶されているコンテンツ配信リストを構成する複数のＶＯＤコンテンツ情報のうち、再生対象コンテンツＴのタイトルに含まれる文字列と一致するキーワードを示すＶＯＤコンテンツ情報（以下、部分一致ＶＯＤコンテンツ情報ともいう）を検索する。
【０２３４】
一致ＶＯＤコンテンツ情報および部分一致ＶＯＤコンテンツ情報の少なくとも一方が存在し、かつ、記憶部６２０に生成済関連コンテンツリストが記憶されている場合、制御部６１０は、一致ＶＯＤコンテンツ情報および部分一致ＶＯＤコンテンツ情報のうち存在する情報と、生成済関連コンテンツリストとに基づいて、関連コンテンツリストを生成する。そして、制御部６１０は、生成した関連コンテンツリストを記憶部６２０に記憶させる。そして、ステップＳ２５４の処理は終了する。
【０２３５】
また、一致ＶＯＤコンテンツ情報および部分一致ＶＯＤコンテンツ情報の少なくとも一方が存在し、記憶部６２０に生成済関連コンテンツリストが記憶されていない場合、制御部６１０は、一致ＶＯＤコンテンツ情報および部分一致ＶＯＤコンテンツ情報のうち存在する情報に基づいて、関連コンテンツリストを生成する。そして、制御部６１０は、生成した関連コンテンツリストを記憶部６２０に記憶させる。そして、ステップＳ２５４の処理は終了する。
【０２３６】
なお、一致ＶＯＤコンテンツ情報および部分一致ＶＯＤコンテンツ情報がない場合は、関連コンテンツリストが生成されず、ステップＳ２５４の処理は終了する。
【０２３７】
ここで、再生対象コンテンツＴのタイトルは「ドラマＡＡ」であるとする。また、コンテンツ配信リストは、図１１のコンテンツ配信リストＳＤ２００であるとする。また、記憶部６２０には、図１８の関連コンテンツリストＴＤ３００Ａが記憶されているとする。この場合、ネットワークコンテンツ対象検索処理において、以下の関連コンテンツリストＴＤ３００Ｂが生成される。
【０２３８】
図１９は、一例としての関連コンテンツリストＴＤ３００Ｂを示す図である。図１９を参照して、関連コンテンツリストＴＤ３００Ｂは、図１８の関連コンテンツリストＴＤ３００Ａと比較して、番号“５”の関連コンテンツ情報が追加されている点が異なる。それ以外は、関連コンテンツリストＴＤ３００Ａと同様なので詳細な説明は繰り返さない。
【０２３９】
関連コンテンツリストＴＤ３００Ｂにおいて、番号“５”の関連コンテンツ情報は、図１１の番号“３”のＶＯＤコンテンツ情報に基づく情報である。
【０２４０】
再び、図１６を参照して、ステップＳ２５４の処理の後、ステップＳ２５５に進む。
ステップＳ２５５では、再生済コンテンツ判定処理が行なわれる。再生済コンテンツ判定処理では、記憶部６２０に記憶されている関連コンテンツリストにより特定される複数のコンテンツのうち、未再生のコンテンツを検索する。具体的には、制御部６１０が、記憶部６２０に記憶されている再生履歴テーブルを構成する複数の再生済コンテンツ情報のうち、再生対象コンテンツＴに対応する図９の録画データ情報により示される「タイトル」および「内容」とそれぞれ一致する「タイトル」および「内容」を示す再生済コンテンツ情報（以下、一致再生済コンテンツ情報ともいう）を検索する。
【０２４１】
一致再生済コンテンツ情報が存在し、かつ、記憶部６２０に生成済関連コンテンツリストが記憶されている場合、制御部６１０は、生成済関連コンテンツリストにおいて、一致再生済コンテンツ情報に対応する関連コンテンツ情報に、再生済みである旨の情報を対応づけた関連コンテンツリストを生成する。そして、制御部６１０は、生成した関連コンテンツリストを記憶部６２０に記憶させる。そして、ステップＳ２５５の処理は終了する。
【０２４２】
一方、一致再生済コンテンツ情報が存在しない場合は、関連コンテンツリストが生成されず、ステップＳ２５５の処理は終了する。
【０２４３】
ここで、再生対象コンテンツＴに対応する図９の録画データ情報は、番号“１”の録画データ情報であるとする。また、再生履歴テーブルは、図１３の再生履歴テーブルＴＤ２００であるとする。また、記憶部６２０には、図１９の生成済関連コンテンツリストＴＤ３００Ｂが記憶されているとする。この場合、再生済コンテンツ判定処理において、以下の関連コンテンツリストＴＤ３１０が生成される。
【０２４４】
図２０は、一例としての関連コンテンツリストＴＤ３１０を示す図である。図２０を参照して、関連コンテンツリストＴＤ３１０は、図１９の関連コンテンツリストＴＤ３００Ｂと比較して、「再生状態」の項目が追加されている点が異なる。それ以外は、関連コンテンツリストＴＤ３００Ｂと同様なので詳細な説明は繰り返さない。
【０２４５】
「再生状態」の項目において、「再生済」と示す関連コンテンツ情報は、対応するコンテンツが再生済であることを示す。「再生状態」の項目において、「未再生」と示す関連コンテンツ情報は、対応するコンテンツが未再生であることを示す。
【０２４６】
関連コンテンツリストＴＤ３００Ｂにおいて、番号“１”の関連コンテンツ情報は、図１３の番号“２”の再生済コンテンツ情報に基づく情報である。すなわち、関連コンテンツリストＴＤ３００Ｂにおいて、番号“１”の関連コンテンツ情報に対応するコンテンツは再生済である。したがって、関連コンテンツリストＴＤ３１０において、番号“１”の関連コンテンツ情報の「再生状態」の項目は、「再生済」となる。
【０２４７】
再び、図１６を参照して、ステップＳ２５５の処理の後、ステップＳ２５６に進む。
ステップＳ２５６では、ステップＳ２５２〜Ｓ２５４の処理により、再生対象コンテンツＴに対し関連性の高いコンテンツの存在が確認されたか否かが判定される。具体的には、制御部６１０が、記憶部６２０に関連コンテンツリストが記憶されているか否かを判定する。ステップＳ２５６において、ＹＥＳならば、ステップＳ２５７に進む。一方、ステップＳ２５６において、ＮＯならば、この処理は終了し、図１４の関連コンテンツ検索処理Ｔに戻り、ステップＳ２５０の次のステップＳ２６０に進む。
【０２４８】
ここでは、記憶部６２０に図２０の関連コンテンツリストＴＤ３１０が記憶されているとして、ステップＳ２５７に進む。
【０２４９】
ステップＳ２５７では、関連コンテンツ情報ソート処理が行なわれる。関連コンテンツ情報ソート処理では、制御部６１０が、関連コンテンツリストにおいて、再生状態が「未再生」であって、ファイル作成日時が古い関連コンテンツ情報程、番号が小さくなるように、関連コンテンツ情報の並び替えを行なう。そして、この処理は終了し、図１４の関連コンテンツ検索処理Ｔに戻り、ステップＳ２５０の次のステップＳ２６０に進む。
【０２５０】
ここで、関連コンテンツリストは、図２０の関連コンテンツリストＴＤ３１０であるとする。この場合、関連コンテンツ情報ソート処理により、関連コンテンツリストＴＤ３１０は、以下の関連コンテンツリストＴＤ３１０Ａとなる。
【０２５１】
図２１は、一例としての関連コンテンツリストＴＤ３１０Ａを示す図である。
再び、図１４を参照して、ステップＳ２５０の処理の後、ステップＳ２６０に進む。
【０２５２】
ステップＳ２６０では、ステップＳ２５２〜Ｓ２５４の処理により、再生対象コンテンツＴに対し関連性の高いコンテンツの存在が確認されたか否かが判定される。具体的には、制御部６１０が、記憶部６２０に関連コンテンツリストが記憶されているか否かを判定する。ステップＳ２６０において、ＹＥＳならば、ステップＳ２６１に進む。一方、ステップＳ２６０において、ＮＯならば、後述するステップＳ２６５に進む。
【０２５３】
ここでは、記憶部６２０に図２１の関連コンテンツリストＴＤ３１０Ａが記憶されているとして、ステップＳ２６１に進む。
【０２５４】
ステップＳ２６１では、関連コンテンツ情報表示処理Ｔが行なわれる。関連コンテンツ情報表示処理Ｔでは、まず、制御部６１０が、ステップＳ２４３により実行された再生処理Ｔにおいて再生されているコンテンツ（再生対象コンテンツＴ）の再生を一時停止させる。そして、制御部６１０は、ＶＤＰ６３２を利用して、記憶部６２０に記憶されている関連コンテンツリストを構成する複数の関連コンテンツ情報のうち、「再生状態」の項目が「未再生」である関連コンテンツ情報をリスト表示した未再生関連コンテンツ情報表示画像を生成し、生成した未再生関連コンテンツ情報表示画像を、表示部６３０に表示させる。すなわち、この処理により、再生処理Ｔにおいて再生が一時停止されているコンテンツの画像は表示部６３０に表示されなくなる。そして、ステップＳ２６１の処理は終了する。
【０２５５】
ここで、関連コンテンツリストは、図２１の関連コンテンツリストＴＤ３１０Ａであるとする。この場合、表示部６３０には、以下の未再生関連コンテンツ情報表示画像Ｇ２００が表示される。
【０２５６】
図２２は、一例としての未再生関連コンテンツ情報表示画像Ｇ２００を示す図である。図２２を参照して、未再生関連コンテンツ情報表示画像Ｇ２００には、「再生を続ける」という文字列（以下、再生継続文字列ともいう）が表示される。また、未再生関連コンテンツ情報表示画像Ｇ２００には、さらに、一例として、４つの選択用関連コンテンツ情報が表示される。４つの選択用関連コンテンツ情報の各々は、図２１の関連コンテンツリストＴＤ３１０Ａを構成する複数の関連コンテンツ情報のうち、「再生状態」の項目が「未再生」である関連コンテンツ情報が示す情報（「タイトル」、「内容」）を含む。
【０２５７】
未再生関連コンテンツ情報表示画像Ｇ２００に表示される４つの選択用関連コンテンツ情報は、上から順にそれぞれ、図２１の番号“１”〜“４”の関連コンテンツ情報に対応する。４つの選択用関連コンテンツ情報のうち、丸印が表示されている情報は、対応する関連コンテンツ情報により特定されるコンテンツがローカル（記憶部６２０）に記憶されていることを示す。また、４つの選択用関連コンテンツ情報のうち、四角印が表示されている情報は、対応する関連コンテンツ情報により特定されるコンテンツがインターネット上（サービスサーバ８００Ａ）に存在することを示す。
【０２５８】
すなわち、未再生関連コンテンツ情報表示画像Ｇ２００では、記憶部６２０に記憶されているコンテンツを対象として、図１６のステップＳ２５３、Ｓ２５４の検索処理が行なわれることにより得られた情報と、ネットワークを対象として、ステップＳ２５４の検索処理が行なわれることにより得られた情報とを識別可能なように表示する。
【０２５９】
なお、識別可能なように表示する方法は、上記に限定されず、たとえば、ステップＳ２５３、Ｓ２５４の検索処理が行なわれることにより得られた情報の文字の色と、ネットワークを対象として、ステップＳ２５４の検索処理が行なわれることにより得られた情報の文字の色とを異なる色にしてもよい。
【０２６０】
４つの選択用関連コンテンツ情報のうち、「（録画済）」と表示されている情報は、対応する関連コンテンツ情報により特定されるコンテンツが録画処理により録画済みであることを示す。また、４つの選択用関連コンテンツ情報のうち、「（ダウンロード済）」と表示されている情報は、対応する関連コンテンツ情報により特定されるコンテンツがインターネット（サービスサーバ８００Ａ）からダウンロード済であることを示す。また、４つの選択用関連コンテンツ情報のうち、「ＶＯＤ」と表示されている情報は、対応する関連コンテンツ情報により特定されるコンテンツが、前述したＶＯＤコンテンツであることを示す。なお、また、４つの選択用関連コンテンツ情報のうち、「ＶＯＤ」の横に記載されている価格は、対応するコンテンツの価格である。
【０２６１】
未再生関連コンテンツ情報表示画像Ｇ２００には、さらに、選択枠ＳＬ２１０が配置される。選択枠ＳＬ２１０は、再生継続文字列および４つの選択用関連コンテンツ情報のうちの１つを選択するための枠である。選択枠ＳＬ２１０は、リモコンモードの通信端末装置５００において、方向ボタン５４１Ａを押下されることにより上に移動する。また、選択枠ＳＬ２１０は、リモコンモードの通信端末装置５００において、方向ボタン５４１Ｂを押下されることにより下に移動する。
【０２６２】
再び、図１４を参照して、ステップＳ２６１の処理の後、ステップＳ２６２に進む。
ステップＳ２６２では、制御部６１０が、再生継続操作があるか否かを判定する。再生継続操作は、再生が一時停止されているコンテンツの再生を再開するための操作である。具体的には、再生継続操作は、選択枠ＳＬ２１０により再生継続文字列が選択されている状態で、リモコンモードの通信端末装置５００において行なわれる、決定ボタン５４１Ｅを押下する操作である。制御部６１０は、再生継続文字列が選択されている状態で、決定ボタン５４１Ｅに基づくリモコン信号を通信端末装置５００から受信した場合、再生継続操作があったと判定する。ステップＳ２６２において、ＹＥＳならば、後述するステップＳ２７０に進む。一方、ステップＳ２６２において、ＮＯならば、ステップＳ２６３に進む。ここでは、再生継続操作がなかったとして、ステップＳ２６３に進む。
【０２６３】
ステップＳ２６３では、制御部６１０が、選択関連コンテンツ再生操作があるか否かを判定する。選択関連コンテンツ再生操作は、選択枠ＳＬ２１０により選択されている選択用関連コンテンツ情報により特定されるコンテンツを再生するための操作である。具体的には、選択関連コンテンツ再生操作は、選択枠ＳＬ２１０により選択用関連コンテンツ情報が選択されている状態で、リモコンモードの通信端末装置５００において行なわれる、決定ボタン５４１Ｅを押下する操作である。制御部６１０は、選択用関連コンテンツ情報が選択されている状態で、決定ボタン５４１Ｅに基づくリモコン信号を通信端末装置５００から受信した場合、選択関連コンテンツ再生操作があったと判定する。
【０２６４】
ステップＳ２６３において、ＹＥＳならば、ステップＳ２６４に進む。一方、ステップＳ２６３において、ＮＯならば、再度、ステップＳ２６２の処理が行なわれる。ここでは、図２２に示される選択枠ＳＬ２１０により選択されている選択用関連コンテンツ情報を再生するための選択関連コンテンツ再生操作があったとして、ステップＳ２６４に進む。以下においては、選択関連コンテンツ再生操作により再生の対象となったコンテンツを再生対象コンテンツＴＡともいう。
【０２６５】
ステップＳ２６４では、制御部６１０が、再生処理ＴＡを実行する。再生処理ＴＡは、他の処理とは独立して行なわれる処理である。そして、ステップＳ２６５に進む。
【０２６６】
再生処理ＴＡでは、制御部６１０が、ＶＤＰ６３２を利用して、再生対象コンテンツＴＡを再生し、再生対象コンテンツＴＡに基づく画像（以下、コンテンツ画像ともいう）を表示部６３０に表示させる。なお、再生処理ＴＡは、再生対象コンテンツＴＡの再生の終了に伴い、終了する。
【０２６７】
ステップＳ２６５では、制御部６１０が、再生対象コンテンツＴＡまたは再生対象コンテンツＴの再生が終了したか否かを判定する。なお、再生対象コンテンツＴの再生が終了する場合は、ステップＳ２６０においてＮＯと判定された場合、または、後述するステップＳ２７０の処理が行なわれた場合である。ステップＳ２６５において、ＹＥＳならば、ステップＳ２６６に進む。一方、ステップＳ２６５において、ＮＯならば、再度、ステップＳ２６５の処理が行なわれる。
【０２６８】
ステップＳ２６６では、再生済コンテンツ情報記憶処理Ｔが行なわれる。再生済コンテンツ情報記憶処理Ｔは、前述した図１２のステップＳ１４３の処理と同様なので詳細な説明は繰り返さない。この場合、ステップＳ１４３の説明で説明した再生対象コンテンツは、再生対象コンテンツＴＡおよび再生対象コンテンツＴのいずれかとなる。そして、この関連コンテンツ検索処理Ｔは終了する。
【０２６９】
前述した、ステップＳ２６２において、ＹＥＳならば、ステップＳ２７０に進む。
ステップＳ２７０では、再生継続処理が行なわれる。再生継続処理では、制御部６１０が、ステップＳ２６１の処理により、再生処理Ｔにおいて再生の一時停止が行なわれているコンテンツ（再生対象コンテンツＴ）の再生を一時停止された箇所から継続させる。そして、ステップＳ２６５に進む。
【０２７０】
以上説明したように、本実施の形態では、選択されたコンテンツに対し関連性の高い関連コンテンツを、自装置（記憶部６２０）およびネットワークにおいて検索する。したがって、選択されたコンテンツに関連する関連コンテンツを容易に検索することができる。すなわち、互いに関連のある複数のコンテンツを、容易に取得できるという効果を奏する。
【０２７１】
また、本実施の形態では、自装置（記憶部６２０）に記憶されているコンテンツを対象として、ステップＳ２５３、Ｓ２５４の検索処理が行なわれることにより得られた情報と、ネットワークを対象として、ステップＳ２５４の検索処理が行なわれることにより得られた情報とを識別可能なように表示する（図２２参照）。したがって、検索されたコンテンツの存在箇所を容易に把握することができるという効果を奏する。
【０２７２】
なお、関連コンテンツ検索処理Ｔにおいて、ステップＳ２４４およびステップＳ２４５の処理は行なわれなくてもよい。この場合、ステップＳ２４３の処理により、コンテンツが再生されてからすぐに、ステップＳ２５０、Ｓ２６０の処理が行なわれることになる。そして、関連コンテンツが検索された場合、関連コンテンツの情報が表示される。すなわち、コンテンツが再生されてからすぐに、再生されたコンテンツの関連コンテンツの情報を参照することができる。
【０２７３】
また、関連コンテンツ検索処理Ｔにおいて、ステップＳ２４４およびステップＳ２４５のいずれかの処理は行なわれなくてもよい。たとえば、関連コンテンツ検索処理Ｔにおいて、ステップＳ２４５の処理が行なわれない場合、ステップＳ２４３の処理により再生されるコンテンツがはじめて再生される場合でも、ステップＳ２５０の処理は行なわれることになる。
【０２７４】
また、関連コンテンツの検索の方法は、ステップＳ２５３〜Ｓ２５４の処理に限定されることなく、他の方法であってもよい。
【０２７５】
＜第１の実施の形態の変形例＞
第１の実施の形態では、未再生の関連コンテンツの情報のみを表示部６３０に表示していた。本実施の形態では、再生済のコンテンツの情報と、未再生のコンテンツの情報とを識別可能なように表示する処理を説明する。
【０２７６】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０２７７】
（関連コンテンツの検索）
次に、映像表示装置６００において、再生されているコンテンツに対し関連性の高い関連コンテンツを検索するための処理（以下、関連コンテンツ検索処理ＴＡともいう）について説明する。
【０２７８】
図２３は、関連コンテンツ検索処理ＴＡのフローチャートである。図２３を参照して、関連コンテンツ検索処理ＴＡは、図１４の関連コンテンツ検索処理Ｔと比較して、ステップＳ２６１の代わりにステップＳ２６１Ａが行なわれる点が異なる。それ以外は、関連コンテンツ検索処理Ｔと同様なので詳細な説明は繰り返さない。
【０２７９】
ここで、ステップＳ２４３の処理により、図９の番号“１”の録画データ情報に対応する録画データが再生対象コンテンツＴとして再生されているとする。
【０２８０】
ステップＳ２６１Ａでは、関連コンテンツ情報表示処理ＴＡが行なわれる。関連コンテンツ情報表示処理ＴＡでは、まず、制御部６１０が、ステップＳ２４３により実行された再生処理Ｔにおいて再生されているコンテンツ（再生対象コンテンツＴ）の再生を一時停止させる。そして、制御部６１０は、ＶＤＰ６３２を利用して、記憶部６２０に記憶されている関連コンテンツリストを構成する複数の関連コンテンツ情報をリスト表示した関連コンテンツ情報表示画像を生成し、生成した関連コンテンツ情報表示画像を、表示部６３０に表示させる。すなわち、この処理により、再生処理Ｔにおいて再生が一時停止されているコンテンツの画像は表示部６３０に表示されなくなる。そして、ステップＳ２６１Ａの処理は終了する。
【０２８１】
ここで、関連コンテンツリストは、図２１の関連コンテンツリストＴＤ３１０Ａであるとする。この場合、表示部６３０には、以下の関連コンテンツ情報表示画像Ｇ２００Ａが表示される。
【０２８２】
図２４は、一例としての関連コンテンツ情報表示画像Ｇ２００Ａを示す図である。図２４を参照して、関連コンテンツ情報表示画像Ｇ２００Ａは、図２２の未再生関連コンテンツ情報表示画像Ｇ２００と比較して、下線が引かれた選択用関連コンテンツ情報がさらに表示される点が異なる。それ以外は、未再生関連コンテンツ情報表示画像Ｇ２００と同様なので詳細な説明は繰り返さない。すなわち、関連コンテンツ情報表示画像Ｇ２００Ａには、５つの選択用関連コンテンツ情報が表示されることになる。
【０２８３】
関連コンテンツ情報表示画像Ｇ２００Ａに表示される５つの選択用関連コンテンツ情報は、上から順にそれぞれ、図２１の番号“１”〜“５”の関連コンテンツ情報に対応する。下線が引かれていない選択用関連コンテンツ情報は、未再生のコンテンツに対応する情報である。下線が引かれた選択用関連コンテンツ情報は、再生済のコンテンツに対応する情報である。なお、コンテンツが未再生または再生済であるかを識別する表示方法は下線に限定されることはなく、たとえば、星印の有無、文字の色等であってもよい。
【０２８４】
関連コンテンツ情報表示画像Ｇ２００Ａが、表示部６３０に表示されることにより、再生済の関連コンテンツの情報と、未再生の関連コンテンツの情報とを容易に識別することができる。
【０２８５】
＜第２の実施の形態＞
次に、映像表示装置６００において再生されているコンテンツに対し関連性の高い関連コンテンツを検索し、関連コンテンツの情報を、通信端末装置５００において表示するための処理（以下、関連コンテンツ検索表示処理ともいう）について説明する。
【０２８６】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０２８７】
（コンテンツの再生）
まず、通信端末装置５００においてコンテンツを再生するための処理（以下、コンテンツ再生処理Ｍともいう）について説明する。ここで、通信端末装置５００の記憶部５２０には、第１の実施の形態で説明した映像表示装置６００と同様に、複数の録画データが記憶されているとする。また、通信端末装置５００の記憶部５２０には、第１の実施の形態で説明した映像表示装置６００と同様に、複数のＤＬコンテンツが記憶されているとする。
【０２８８】
また、通信端末装置５００の記憶部５２０には、図９の録画データ管理テーブルＴＤ１００と同様な録画データ管理テーブルと、図１０のＤＬコンテンツ管理テーブルＴＤ１１０と同様なＤＬコンテンツ管理テーブルと、図１１のコンテンツ配信リストＳＤ２００と同様なコンテンツ配信リストとが記憶されているとする。
【０２８９】
図２５は、コンテンツ再生処理Ｍのフローチャートである。図２５を参照して、ステップＳ４１０では、制御部５１０が、コンテンツ再生操作があるか否かを判定する。コンテンツ再生操作は、コンテンツ（たとえば、録画データ、ＤＬコンテンツおよびＶＯＤコンテンツ等）を再生させるためのインターフェース操作Ｍである。ステップＳ４１０において、ＹＥＳならば、ステップＳ４１１に進む。一方、ステップＳ４１０において、ＮＯならば、再度、ステップＳ４１０の処理が行なわれる。
【０２９０】
ここでは、記憶部５２０に記憶されている録画データを再生させるためのコンテンツ再生操作があったとする。この場合、ステップＳ４１１に進む。以下においては、コンテンツ再生操作により再生の対象となったコンテンツを再生対象コンテンツともいう。再生対象コンテンツは、録画データ、ＤＬコンテンツおよびＶＯＤコンテンツのいずれかである。
【０２９１】
ステップＳ４１１では、制御部５１０が、再生処理Ｍを実行する。再生処理Ｍは、他の処理とは独立して行なわれる処理である。そして、ステップＳ４１１の処理は終了する。
【０２９２】
再生処理Ｍでは、制御部５１０が、ＶＤＰ５３２を利用して、再生対象コンテンツを再生し、再生対象コンテンツに基づく画像（以下、コンテンツ画像ともいう）を表示部５３０に表示させる。なお、再生処理Ｍは、再生対象コンテンツの再生の終了に伴い、終了する。
【０２９３】
ステップＳ４１１の処理の後、処理はステップＳ４１２に進む。
ステップＳ４１２では、制御部５１０が、再生対象コンテンツの再生が終了したか否かを判定する。ステップＳ４１２において、ＹＥＳならば、ステップＳ４１３に進む。一方、ステップＳ４１２において、ＮＯならば、再度、ステップＳ４１２の処理が行なわれる。ここでは、再生対象コンテンツの再生が終了したとして、ステップＳ４１３に進む。
【０２９４】
ステップＳ４１３では、再生済コンテンツ情報記憶処理Ｍが行なわれる。再生済コンテンツ情報記憶処理Ｍでは、制御部５１０が、再生履歴テーブルに、再生済コンテンツ情報を記録する。ここで、記憶部５２０には、以下の再生履歴テーブルＭＤ２００が記憶されているとする。
【０２９５】
図２６は、一例としての再生履歴テーブルＭＤ２００を示す図である。図２６を参照して、再生履歴テーブルＭＤ２００は、図１３の再生履歴テーブルＴＤ２００と比較して、再生済コンテンツ情報の内容が異なる点以外は、再生履歴テーブルＴＤ２００と同様なので詳細な説明は繰り返さない。ここで、通信端末装置５００の装置ＩＤは、“１１ＭＡ”であるとする。
【０２９６】
再び、図２５を参照して、ステップＳ４１３の再生済コンテンツ情報記憶処理Ｍでは、再生履歴テーブルにおいて、再生対象コンテンツに対応する再生済コンテンツ情報がある場合、制御部５１０が、再生対象コンテンツに対応する再生済コンテンツ情報に示される再生回数を１インクリメントする。一方、再生履歴テーブルにおいて、再生対象コンテンツに対応する再生済コンテンツ情報がない場合、制御部５１０は、再生対象コンテンツの再生済コンテンツ情報を、再生履歴テーブルに追加する。なお、追加された再生対象コンテンツの再生済コンテンツ情報に示される再生回数は、“１”となる。再生済コンテンツ情報記憶処理Ｍが終了すると、このコンテンツ再生処理Ｍは終了する。
【０２９７】
ここで、再生対象コンテンツは、図２６の再生履歴テーブルＭＤ２００に示される、番号“２”の再生済コンテンツ情報に対応する録画データであるとする。また、再生履歴テーブルは、再生履歴テーブルＭＤ２００であるとする。この場合、再生済コンテンツ情報記憶処理Ｍでは、制御部５１０が、再生履歴テーブルＭＤ２００において、番号“２”の再生済コンテンツ情報に示される再生回数（１）を１インクリメントする。
【０２９８】
（関連コンテンツの検索）
次に、映像表示装置６００において再生されているコンテンツに対し関連性の高い関連コンテンツを検索し、関連コンテンツの情報を、通信端末装置５００において表示するための処理（以下、関連コンテンツ検索表示処理ともいう）について説明する。以下においては、関連コンテンツ検索表示処理において、通信端末装置５００で行なわれる処理を関連コンテンツ検索表示処理Ｍともいう。また、関連コンテンツ検索表示処理において、映像表示装置６００で行なわれる処理を関連コンテンツ検索表示処理Ｔともいう。
【０２９９】
ここで、通信端末装置５００は、リモコンモードに設定されているとする。また、通信端末装置５００の表示部５３０には、図７のリモコン画像ＭＧ１００が表示されているとする。また、通信端末装置５００の記憶部５２０には、図２６の再生履歴テーブルＭＤ２００が記憶されているとする。
【０３００】
また、映像表示装置６００の記憶部６２０には、図９の録画データ管理テーブルＴＤ１００、図１０のＤＬコンテンツ管理テーブルＴＤ１１０、図１１のコンテンツ配信リストＳＤ２００、図１３の再生履歴テーブルＴＤ２００が記憶されているとする。
【０３０１】
図２７は、関連コンテンツ検索表示処理Ｍおよび関連コンテンツ検索表示処理Ｔのフローチャートである。図２７を参照して、関連コンテンツ検索表示処理Ｍでは、まず、ステップＳ５１０の処理が行なわれる。
【０３０２】
ステップＳ５１０では、制御部５１０が、リスト表示操作があるか否かを判定する。リスト表示操作は、図７のボタン画像ＭＢＧ１８０を押下処理するためのインターフェース操作Ｍである。ステップＳ５１０において、ＹＥＳならば、ステップＳ５１１に進む。一方、ステップＳ５１０において、ＮＯならば、再度、ステップＳ５１０の処理が行なわれる。ここでは、リスト表示操作があったとして、ステップＳ５１１に進む。
【０３０３】
ステップＳ５１１では、制御部５１０が、リスト表示指示としてのリスト表示リモコン信号を、映像表示装置６００へ送信する。リスト表示リモコン信号は、映像表示装置６００において、複数の録画データ特定情報をリスト表示させるためのリモコン信号である。そして、ステップＳ５１１の処理は終了する。
【０３０４】
関連コンテンツ検索表示処理Ｔでは、まず、ステップＳ５４０の処理が行なわれる。
ステップＳ５４０では、制御部６１０が、リスト表示指示としてのリスト表示リモコン信号を受信したか否かを判定する。ステップＳ５４０において、ＹＥＳならば、ステップＳ５４１に進む。一方、ステップＳ５４０において、ＮＯならば、再度、ステップＳ５４０の処理が行なわれる。ここでは、リスト表示指示としてのリスト表示リモコン信号を受信したとして、ステップＳ５４１に進む。
【０３０５】
ステップＳ５４１では、リスト表示処理Ｔが行なわれる。リスト表示処理Ｔは、図１４のステップＳ２４１の処理と同様なので詳細な説明は繰り返さない。この処理により、表示部６３０には、図１５の録画リスト画像Ｇ１００が表示されるとする。そして、ステップＳ５４１の処理は終了する。
【０３０６】
関連コンテンツ検索表示処理Ｍでは、ステップＳ５１１の処理の後、ステップＳ５１１Ａに進む。
【０３０７】
ステップＳ５１１Ａでは、再生履歴送信処理Ｍが行なわれる。再生履歴送信処理Ｍでは、制御部５１０が、再生履歴テーブルを、映像表示装置６００へ送信する。ここで、送信される再生履歴テーブルは、図２６の再生履歴テーブルＭＤ２００であるとする。そして、制御部５１０は、送信した再生履歴テーブルに記載されている情報を消去する。そして、ステップＳ５１１Ａの処理は終了する。
【０３０８】
関連コンテンツ検索表示処理Ｔでは、ステップＳ５４１の処理の後、ステップＳ５４１Ａに進む。
【０３０９】
ステップＳ５４１Ａでは、制御部６１０が、再生履歴テーブルを受信したか否かを判定する。ステップＳ５４１Ａにおいて、ＹＥＳならば、ステップＳ５４１Ｂに進む。一方、ステップＳ５４１Ａにおいて、ＮＯならば、再度、ステップＳ５４１Ａの処理が行なわれる。ここでは、図２６の再生履歴テーブルＭＤ２００を受信したとして、ステップＳ５４１Ｂに進む。
【０３１０】
ステップＳ５４１Ｂでは、再生履歴統合処理Ｔが行なわれる。再生履歴統合処理Ｔでは、制御部６１０が、受信した再生履歴テーブルを構成する複数の再生済コンテンツ情報（以下、受信再生済コンテンツ情報ともいう）と、記憶部６２０に記憶されている再生履歴テーブルを構成する複数の再生済コンテンツ情報（以下、記憶済再生済コンテンツ情報ともいう）とを含む新たな再生履歴テーブルを生成する。以下においては、再生履歴統合処理Ｔにより生成された再生履歴テーブルを、統合済再生履歴テーブルともいう。そして、制御部６１０は、統合済再生履歴テーブルを、記憶部６２０に記憶させる。
【０３１１】
なお、受信再生済コンテンツ情報により特定されるコンテンツと、記憶済再生済コンテンツ情報により特定されるコンテンツとが同じである場合、再生回数は、受信再生済コンテンツ情報が示す再生回数と、記憶済再生済コンテンツ情報が示す再生回数とを合計した回数となる。そして、ステップＳ５４１Ｂの処理は終了する。
【０３１２】
ここで、受信した再生履歴テーブルは、図２６の再生履歴テーブルＭＤ２００であるとする。また、記憶部６２０に記憶されている再生履歴テーブルは、図１３の再生履歴テーブルＴＤ２００であるとする。この場合、再生履歴統合処理Ｔにより、以下の再生履歴テーブルＭＴＤ３００が生成される。
【０３１３】
図２８は、一例としての再生履歴テーブルＭＴＤ３００を示す図である。再生履歴テーブルＭＴＤ３００は、複数の再生済コンテンツ情報から構成される。図２８を参照して、再生履歴テーブルＭＴＤ３００における各項目は、図１３で説明したのと同様なので詳細な説明は繰り返さない。
【０３１４】
再生履歴テーブルＭＴＤ３００において、番号“２”の再生済コンテンツ情報が示す再生回数（３）は、図１３の番号“２”の再生済コンテンツ情報の再生回数“２”と、図２６の番号“２”の再生済コンテンツ情報の再生回数“１”とを合計した回数である。また、再生履歴テーブルＭＴＤ３００において、番号“１”〜“４”の再生済コンテンツ情報は、図２６の番号“１”〜“４”の再生済コンテンツ情報である。また、再生履歴テーブルＭＴＤ３００において、番号“５”〜“７”の再生済コンテンツ情報は、図１３の番号“１”、“３”、“４”の再生済コンテンツ情報である。
【０３１５】
再び、図２７を参照して、関連コンテンツ検索表示処理Ｍでは、ステップＳ５１１Ａの処理の後、ステップＳ５１２に進む。
【０３１６】
ステップＳ５１２では、制御部５１０が、再生操作Ｍがあるか否かを判定する。再生操作Ｍは、表示部６３０に表示されている図１５の選択枠ＳＬ１１０により選択されている録画データ特定情報により特定される録画データを再生するための操作である。具体的には、再生操作Ｍは、選択枠ＳＬ１１０により録画データ特定情報が選択されている状態で、決定ボタン５４１Ｅを押下するインターフェース操作Ｍである。ステップＳ５１２において、ＹＥＳならば、ステップＳ５１３に進む。一方、ステップＳ５１２において、ＮＯならば、再度、ステップＳ５１２の処理が行なわれる。ここでは、図１５に示される位置に選択枠ＳＬ１１０がある状態で、再生操作Ｍがあったとして、ステップＳ５１３に進む。
【０３１７】
ステップＳ５１３では、再生指示送信処理が行なわれる。再生指示送信処理では、制御部５１０が、再生指示としての再生リモコン信号を、映像表示装置６００へ送信する。再生リモコン信号は、選択枠ＳＬ１１０により選択されている録画データ特定情報により特定される録画データを再生するためのリモコン信号である。そして、ステップＳ５１３の処理は終了する。
【０３１８】
関連コンテンツ検索表示処理Ｔでは、ステップＳ５４１Ｂの処理の後、ステップＳ５４２に進む。
【０３１９】
ステップＳ５４２では、制御部６１０が、再生指示としての再生リモコン信号を受信したか否かを判定する。ステップＳ５４２において、ＹＥＳならば、ステップＳ５４３に進む。一方、ステップＳ５４２において、ＮＯならば、再度、ステップＳ５４２の処理が行なわれる。ここでは、図１５に示される位置に選択枠ＳＬ１１０があった状態で、再生リモコン信号を受信したとして、ステップＳ５４３に進む。
【０３２０】
この場合、図１５に示される「タイトル」が「ドラマＡＡ」であり、「内容」が「第１話・・・」である録画データ特定情報により特定される録画データが再生の対象となったコンテンツである。以下においては、再生リモコン信号により、再生の対象となったコンテンツを、再生対象コンテンツＴともいう。
【０３２１】
ステップＳ５４３では、制御部６１０が、再生処理Ｔを実行する。再生処理Ｔは、他の処理とは独立して行なわれる処理である。そして、ステップＳ５４３の処理は終了する。
【０３２２】
再生処理Ｔでは、制御部６１０が、ＶＤＰ６３２を利用して、再生対象コンテンツＴを再生し、再生対象コンテンツＴに基づく画像（以下、コンテンツ画像ともいう）を表示部６３０に表示させる。なお、再生処理Ｔは、再生対象コンテンツＴの再生の終了に伴い、終了する。
【０３２３】
ステップＳ５４３の処理の後、ステップＳ５４４に進む。
ステップＳ５４４では、再生対象コンテンツＴが再生されてから所定時間経過したか否かが判定される。具体的には、制御部６１０が、再生処理Ｔにより、再生対象コンテンツＴが所定時間以上再生されたか否かを判定する。所定時間は、たとえば、５分であるとする。ステップＳ５４４において、ＹＥＳならば、ステップＳ５４５に進む。一方、ステップＳ５４４において、ＮＯならば、再度、ステップＳ５４４の処理が行なわれる。ここでは、再生対象コンテンツＴが再生されてから所定時間経過したとして、ステップＳ５４５に進む。
【０３２４】
ステップＳ５４５では、再生対象コンテンツＴの再生回数が所定回数以上であるか否かが判定される。具体的には、制御部６１０が、図１３の再生履歴テーブルＴＤ２００を構成する複数の再生済コンテンツ情報において、再生対象コンテンツＴに対応する再生済コンテンツ情報が示す再生回数が所定回数以上であるか否かを判定する。ここで、所定回数は、たとえば、“２”であるとする。
【０３２５】
なお、図１３の再生履歴テーブルＴＤ２００を構成する複数の再生済コンテンツ情報において、再生対象コンテンツＴに対応する再生済コンテンツ情報がない場合は、再生対象コンテンツＴの再生回数は、現在、再生対象コンテンツＴが再生されていることにより“１”となる。ステップＳ５４５において、ＹＥＳならば、ステップＳ２５０Ａに進む。一方、ステップＳ５４５において、ＮＯならば、この関連コンテンツ検索表示処理Ｔは終了する。ここでは、ステップＳ５４５において、ＹＥＳと判定され、ステップＳ２５０Ａに進むとする。
【０３２６】
ステップＳ２５０Ａでは、検索処理ＴＡが行なわれる。検索処理ＴＡは、現在再生中の再生対象コンテンツＴに対し関連性の高い関連コンテンツを検索するための処理である。
【０３２７】
図２９は、検索処理ＴＡのフローチャートである。図２９を参照して、検索処理ＴＡは、図１６の検索処理Ｔと比較して、ステップＳ２５５の代わりにステップＳ２５５Ａの処理が行なわれる点が異なる。それ以外は、検索処理Ｔと同様なので詳細な説明は繰り返さない。
【０３２８】
ステップＳ２５１では、第１の実施の形態で説明した図１６のステップＳ２５１と同様な処理が行なわれるので詳細な説明は繰り返さない。この処理により取得された再生対象コンテンツＴのタイトルは、「ドラマＡＡ」であるとする。そして、ステップＳ２５２に進む。
【０３２９】
ステップＳ２５２では、第１の実施の形態で説明した図１６のステップＳ２５２と同様な処理が行なわれるので詳細な説明は繰り返さない。この処理により、図１７の関連コンテンツリストＴＤ３００が記憶部６２０に記憶されるとする。
【０３３０】
ステップＳ２５３では、第１の実施の形態で説明した図１６のステップＳ２５３と同様な処理が行なわれるので詳細な説明は繰り返さない。この処理により、図１８の関連コンテンツリストＴＤ３００Ａが記憶部６２０に記憶されるとする。
【０３３１】
ステップＳ２５４では、第１の実施の形態で説明した図１６のステップＳ２５４と同様な処理が行なわれるので詳細な説明は繰り返さない。この処理により、図１９の関連コンテンツリストＴＤ３００Ｂが記憶部６２０に記憶されるとする。
【０３３２】
ステップＳ２５４の処理の後、ステップＳ２５５Ａに進む。
ステップＳ２５５Ａでは、再生済コンテンツ判定処理Ａが行なわれる。再生済コンテンツ判定処理Ａでは、記憶部６２０に記憶されている関連コンテンツリストにより特定される複数のコンテンツのうち、未再生のコンテンツを検索する。具体的には、制御部６１０が、前述の統合済再生履歴テーブルを構成する複数の再生済コンテンツ情報のうち、再生対象コンテンツＴに対応する図９の録画データ情報により示される「タイトル」および「内容」とそれぞれ一致する「タイトル」および「内容」を示す再生済コンテンツ情報（以下、一致再生済コンテンツ情報ともいう）を検索する。
【０３３３】
一致再生済コンテンツ情報が存在し、かつ、記憶部６２０に生成済関連コンテンツリストが記憶されている場合、制御部６１０は、生成済関連コンテンツリストにおいて、一致再生済コンテンツ情報に対応する関連コンテンツ情報に、再生済みである旨の情報を対応づけた関連コンテンツリストを生成する。そして、制御部６１０は、生成した関連コンテンツリストを記憶部６２０に記憶させる。そして、ステップＳ２５５Ａの処理は終了する。
【０３３４】
一方、一致再生済コンテンツ情報が存在しない場合は、関連コンテンツリストが生成されず、ステップＳ２５５Ａの処理は終了する。
【０３３５】
ここで、再生対象コンテンツＴに対応する図９の録画データ情報は、番号“１”の録画データ情報であるとする。また、統合済再生履歴テーブルは、図２８の再生履歴テーブルＭＴＤ３００であるとする。また、記憶部６２０には、図１９の生成済関連コンテンツリストＴＤ３００Ｂが記憶されているとする。この場合、再生済コンテンツ判定処理Ａにおいて、図２０の関連コンテンツリストＴＤ３１０Ａが生成される。
【０３３６】
ステップＳ２５５Ａの処理の後、ステップＳ２５６に進む。
ステップＳ２５６では、第１の実施の形態で説明した図１６のステップＳ２５６と同様な処理が行なわれるので詳細な説明は繰り返さない。ステップＳ２５６において、ＹＥＳならば、ステップＳ２５７に進む。一方、ステップＳ２５６において、ＮＯならば、この処理は終了し、図２７の関連コンテンツ検索表示処理Ｔに戻り、ステップＳ２５０Ａの次のステップＳ５６０に進む。ここでは、記憶部６２０に図２０の関連コンテンツリストＴＤ３１０が記憶されているとして、ステップＳ２５７に進む。
【０３３７】
ステップＳ２５７では、第１の実施の形態で説明した図１６のステップＳ２５７と同様な処理が行なわれるので詳細な説明は繰り返さない。この処理により、関連コンテンツリストＴＤ３１０は、図２１の関連コンテンツリストＴＤ３１０Ａとなる。そして、この処理は終了し、図２７の関連コンテンツ検索表示処理Ｔに戻り、ステップＳ２５０Ａの次のステップＳ５６０に進む。
【０３３８】
ステップＳ５６０では、図１４のステップＳ２６０の処理と同様なので詳細な説明は繰り返さない。ステップＳ５６０において、ＹＥＳならば、ステップＳ５６０Ａに進む。一方、ステップＳ５６０において、ＮＯならば、後述するステップＳ５７５に進む。ここでは、記憶部６２０に図２１の関連コンテンツリストＴＤ３１０Ａが記憶されているとして、ステップＳ５６０Ａに進む。
【０３３９】
ステップＳ５６０Ａでは、関連コンテンツリスト送信処理Ｔが行なわれる。関連コンテンツリスト送信処理Ｔでは、制御部６１０が、関連コンテンツリストを、通信端末装置５００へ送信する。ここでは、図２１の関連コンテンツリストＴＤ３１０Ａが送信されたとする。そして、制御部６１０が、ステップＳ５４３により実行された再生処理Ｔにおいて再生されているコンテンツ（再生対象コンテンツＴ）の再生を一時停止させる。なお、再生対象コンテンツＴは、一時停止されなくてもよい。そして、ステップＳ５６０Ａの処理は終了する。
【０３４０】
関連コンテンツ検索表示処理Ｍでは、ステップＳ５１３の処理の後、ステップＳ５２０に進む。
【０３４１】
ステップＳ５２０では、制御部５１０が、関連コンテンツリストを受信したか否かを判定する。ステップＳ５２０において、ＹＥＳならば、制御部５１０は、受信した関連コンテンツリストを記憶部５２０に記憶させて、ステップＳ５２１に進む。一方、ステップＳ５２０において、ＮＯならば、再度、ステップＳ５２０の処理が行なわれる。ここでは、関連コンテンツリストＴＤ３１０Ａを受信したとして、ステップＳ５２１に進む。
【０３４２】
ステップＳ５２１では、関連コンテンツ情報表示処理Ｍが行なわれる。関連コンテンツ情報表示処理Ｍでは、制御部５１０が、ＶＤＰ５３２を利用して、記憶部５２０に記憶されている関連コンテンツリストを構成する複数の関連コンテンツ情報のうち、「再生状態」の項目が「未再生」である関連コンテンツ情報をリスト表示した未再生関連コンテンツ情報表示画像を生成し、生成した未再生関連コンテンツ情報表示画像を、表示部５３０に表示させる。
【０３４３】
ここで、関連コンテンツリストは、図２１の関連コンテンツリストＴＤ３１０Ａであるとする。この場合、表示部５３０には、図２２の未再生関連コンテンツ情報表示画像Ｇ２００が表示される。そして、ステップＳ５２２に進む。
【０３４４】
ステップＳ５２２では、制御部５１０が、再生継続操作があるか否かを判定する。再生継続操作は、映像表示装置６００において、再生が一時停止されているコンテンツの再生を再開するための操作である。具体的には、再生継続操作は、図２２の選択枠ＳＬ２１０により再生継続文字列が選択されている状態で、決定ボタン５４１Ｅを押下するインターフェース操作Ｍである。ステップＳ５２２において、ＹＥＳならば、ステップＳ５２２Ａに進む。一方、ステップＳ５２２において、ＮＯならば、後述するステップＳ５２３に進む。ここでは、再生継続操作があったとして、ステップＳ５２２Ａに進む。
【０３４５】
ステップＳ５２２Ａでは、制御部５１０が、再生継続指示としての再生継続指示リモコン信号を、映像表示装置６００へ送信する。再生継続指示リモコン信号は、映像表示装置６００において、再生が一時停止されているコンテンツの再生を再開するためのリモコン信号である。そして、この関連コンテンツ検索表示処理Ｍは終了する。
【０３４６】
関連コンテンツ検索表示処理Ｔでは、ステップＳ５６０Ａの処理の後、ステップＳ５６２に進む。
【０３４７】
ステップＳ５６２では、制御部６１０が、図２２の選択枠ＳＬ２１０により再生継続文字列が選択されている状態で、再生継続指示としての再生継続指示リモコン信号を受信したか否かを判定する。ステップＳ５６２において、ＹＥＳならば、ステップＳ５６２Ａに進む。一方、ステップＳ５６２において、ＮＯならば、ステップＳ５６３に進む。ここでは、再生継続指示としての再生継続指示リモコン信号を受信したとして、ステップＳ５６２Ａに進む。
【０３４８】
ステップＳ５６２Ａでは、再生継続処理が行なわれる。再生継続処理は、図１４のステップＳ２７０の処理と同様なので詳細な説明は繰り返さない。この処理により、制御部６１０が、再生の一時停止が行なわれているコンテンツ（再生対象コンテンツＴ）の再生を一時停止された箇所から継続させる。そして、ステップＳ５７５に進む。
【０３４９】
ステップＳ５７５では、制御部６１０が、再生対象コンテンツＴＡまたは再生対象コンテンツＴの再生が終了したか否かを判定する。なお、再生対象コンテンツＴの再生が終了する場合は、ステップＳ５６０においてＮＯと判定された場合、または、ステップＳ５６２Ａの処理が行なわれた場合である。ステップＳ５７５において、ＹＥＳならば、ステップＳ５７６に進む。一方、ステップＳ５７５において、ＮＯならば、再度、ステップＳ５７５の処理が行なわれる。
【０３５０】
ステップＳ５７６では、再生済コンテンツ情報記憶処理Ｔが行なわれる。再生済コンテンツ情報記憶処理Ｔは、前述した図１４のステップＳ２６６の処理と同様なので詳細な説明は繰り返さない。そして、この関連コンテンツ検索表示処理Ｔは終了する。
【０３５１】
次に、ステップＳ５２２において、再生継続操作がなかった場合の処理について説明する。この場合、ステップＳ５２３に進む。
【０３５２】
ステップＳ５２３では、選択関連コンテンツ再生操作があるか否かを判定する。選択関連コンテンツ再生操作は、映像表示装置６００において、選択枠ＳＬ２１０により選択されている選択用関連コンテンツ情報により特定されるコンテンツを再生するための操作である。具体的には、選択関連コンテンツ再生操作は、選択枠ＳＬ２１０により選択用関連コンテンツ情報が選択されている状態で、決定ボタン５４１Ｅを押下するインターフェース操作Ｍである。
【０３５３】
ステップＳ５２３において、ＹＥＳならば、ステップＳ５２３Ａに進む。一方、ステップＳ５２３において、ＮＯならば、再度、ステップＳ５２２の処理が行なわれる。ここでは、図２２に示される位置に選択枠ＳＬ２１０がある状態で、選択関連コンテンツ再生操作があったとして、ステップＳ５２３Ａに進む。以下においては、選択関連コンテンツ再生操作により再生の対象となったコンテンツを再生対象コンテンツＴＡともいう。
【０３５４】
ステップＳ５２３Ａでは、装置選択画像表示処理Ｍが行なわれる。装置選択画像表示処理Ｍでは、制御部５１０が、ＶＤＰ５３２を利用して、以下の再生装置選択画像ＭＧ３００を生成し、表示部５３０に表示させる。そして、ステップＳ５２３Ａの処理は終了する。
【０３５５】
図３０は、一例としての再生装置選択画像ＭＧ３００を示す図である。図３０を参照して、再生装置選択画像ＭＧ３００には、ボタン画像ＭＢＧ３１５、ＭＢＧ３１６とが配置される。
【０３５６】
ボタン画像ＭＢＧ３１５は、再生対象コンテンツＴＡを、通信端末装置５００において再生させるためのボタン画像である。ボタン画像ＭＢＧ３１６は、再生対象コンテンツＴＡを、映像表示装置６００において再生させるためのボタン画像である。
【０３５７】
ステップＳ５２３Ａの処理の後、ステップＳ５２３Ｂに進む。
ステップＳ５２３Ｂでは、制御部５１０が、映像装置選択操作があるか否かを判定する。映像装置選択操作は、ボタン画像ＭＢＧ３１６を押下処理するためのインターフェース操作Ｍである。ステップＳ５２３Ｂにおいて、ＹＥＳならば、ステップＳ５２３Ｃに進む。一方、ステップＳ５２３Ｂにおいて、ＮＯならば、後述するステップＳ５２４に進む。ここでは、映像装置選択操作があったとして、ステップＳ５２３Ｃに進む。
【０３５８】
ステップＳ５２３Ｃでは、制御部５１０が、再生指示Ａとしての選択コンテンツ再生リモコン信号を、映像表示装置６００へ送信する。選択コンテンツ再生リモコン信号は、選択関連コンテンツ再生操作により再生の対象となったコンテンツ（再生対象コンテンツＴＡ）を映像表示装置６００において再生させるためのリモコン信号である。そして、この関連コンテンツ検索表示処理Ｍは終了する。
【０３５９】
関連コンテンツ検索表示処理Ｔでは、ステップＳ５６２においてＮＯと判定された場合、ステップＳ５６３に進む。
【０３６０】
ステップＳ５６３では、制御部６１０が、再生指示Ａとしての選択コンテンツ再生リモコン信号を受信したか否かを判定する。ステップＳ５６３において、ＹＥＳならば、ステップＳ５６４に進む。一方、ステップＳ５６３において、ＮＯならば、後述するステップＳ５６５に進む。ここでは、再生指示Ａとしての選択コンテンツ再生リモコン信号を受信したとして、ステップＳ５６４に進む。
【０３６１】
ステップＳ５６４では、制御部６１０が、再生処理ＴＡを実行する。再生処理ＴＡは、他の処理とは独立して行なわれる処理である。そして、ステップＳ５６４の処理は終了する。ステップＳ５６４の処理の後、前述したステップＳ５７５に進む。
【０３６２】
再生処理ＴＡでは、制御部６１０が、ＶＤＰ６３２を利用して、再生対象コンテンツＴＡを再生し、再生対象コンテンツＴＡに基づく画像（以下、コンテンツ画像ともいう）を表示部６３０に表示させる。なお、再生処理ＴＡは、再生対象コンテンツＴＡの再生の終了に伴い、終了する。
【０３６３】
次に、ステップＳ５２３Ｂにおいて、ＮＯと判定された場合の処理について説明する。ステップＳ５２３Ｂにおいて、ＮＯと判定された場合、ステップＳ５２４に進む。
【０３６４】
ステップＳ５２４では、制御部５１０が、通信装置選択操作があるか否かを判定する。通信装置選択操作は、ボタン画像ＭＢＧ３１５を押下処理するためのインターフェース操作Ｍである。ステップＳ５２４において、ＹＥＳならば、ステップＳ５２４Ａに進む。一方、ステップＳ５２４において、ＮＯならば、再度、ステップＳ５２３Ｂの処理が行なわれる。ここでは、通信装置選択操作があったとして、ステップＳ５２４Ａに進む。
【０３６５】
ステップＳ５２４Ａでは、コンテンツ要求処理Ｍが行なわれる。コンテンツ要求処理Ｍでは、制御部５１０が、コンテンツ要求としてのコンテンツ要求信号を、映像表示装置６００へ送信する。コンテンツ要求信号は、再生対象コンテンツＴＡを特定するための情報を含んだリモコン信号である。すなわち、コンテンツ要求信号は、再生対象コンテンツＴＡを映像表示装置６００に対し要求するためのリモコン信号である。
【０３６６】
関連コンテンツ検索表示処理Ｔでは、ステップＳ５６３においてＮＯと判定された場合、ステップＳ５６５に進む。
【０３６７】
ステップＳ５６５では、制御部６１０が、コンテンツ要求としてのコンテンツ要求信号を受信したか否かを判定する。ステップＳ５６５において、ＹＥＳならば、ステップＳ５６６に進む。一方、ステップＳ５６５において、ＮＯならば、再度、ステップＳ５６２の処理が行なわれる。ここでは、コンテンツ要求としてのコンテンツ要求信号を受信したとして、ステップＳ５６６に進む。
【０３６８】
ステップＳ５６６では、コンテンツ送信処理Ｔが行なわれる。コンテンツ送信処理Ｔでは、制御部６１０が、コンテンツ要求信号により特定される再生対象コンテンツＴＡを、通信端末装置５００へ送信する。そして、再度、ステップＳ５６２の処理が行なわれる。
【０３６９】
関連コンテンツ検索表示処理Ｍでは、ステップＳ５２４Ａのコンテンツ要求処理Ｍにおいて、制御部５１０が、コンテンツ要求信号により要求した再生対象コンテンツＴＡを受信した場合、ステップＳ５２５に進む。ここでは、再生対象コンテンツＴＡを受信したとして、ステップＳ５２５に進む。
【０３７０】
ステップＳ５２５では、制御部５１０が、再生処理Ｍを実行する。再生処理Ｍは、他の処理とは独立して行なわれる処理である。そして、ステップＳ５２５Ａに進む。
【０３７１】
再生処理Ｍでは、制御部５１０が、ＶＤＰ５３２を利用して、再生対象コンテンツＴＡを再生し、再生対象コンテンツＴＡに基づく画像（以下、コンテンツ画像ともいう）を表示部５３０に表示させる。なお、再生処理Ｍは、再生対象コンテンツＴＡの再生の終了に伴い、終了する。
【０３７２】
ステップＳ５２５Ａでは、制御部５１０が、再生対象コンテンツＴＡの再生が終了したか否かを判定する。ステップＳ５２５Ａにおいて、ＹＥＳならば、ステップＳ５２６に進む。一方、ステップＳ５２５Ａにおいて、ＮＯならば、再度、ステップＳ５２５Ａの処理が行なわれる。
【０３７３】
ステップＳ５２６では、再生済コンテンツ情報記憶処理Ｍが行なわれる。再生済コンテンツ情報記憶処理Ｍは、前述した図２５のステップＳ４１３の処理と同様なので詳細な説明は繰り返さない。この場合、ステップＳ４１３の説明で説明した再生対象コンテンツは、再生対象コンテンツＴＡとなる。そして、この関連コンテンツ検索表示処理Ｍは終了する。
【０３７４】
以上説明したように、本実施の形態では、関連コンテンツの情報を、通信端末装置５００において表示する。そのため、通信端末装置５００のユーザは、手元の通信端末装置５００において、関連コンテンツの情報を、容易に参照することができるという効果を奏する。
【０３７５】
また、通信端末装置５００において、関連コンテンツを選択して、選択した関連コンテンツを再生する処理も行なう。そのため、通信端末装置５００のユーザは、手元の通信端末装置５００において、関連コンテンツを、容易に視聴することができるという効果を奏する。
【０３７６】
また、本実施の形態では、第１の実施の形態と同様、選択されたコンテンツに対し関連性の高い関連コンテンツを、映像表示装置６００の記憶部６２０およびネットワークにおいて検索する。したがって、選択されたコンテンツに関連する関連コンテンツを容易に検索することができる。すなわち、互いに関連のある複数のコンテンツを、容易に取得できるという効果を奏する。
【０３７７】
また、本実施の形態では、第１の実施の形態と同様、映像表示装置６００の記憶部６２０に記憶されているコンテンツを対象として、ステップＳ２５３、Ｓ２５４の検索処理が行なわれることにより得られた情報と、ネットワークを対象として、ステップＳ２５４の検索処理が行なわれることにより得られた情報とを識別可能なように表示する（図２２参照）。したがって、検索されたコンテンツの存在箇所を容易に把握することができるという効果を奏する。
【０３７８】
なお、関連コンテンツ検索表示処理Ｔにおいて、ステップＳ５４４およびステップＳ５４５の処理は行なわれなくてもよい。この場合、ステップＳ５４３の処理により、コンテンツが再生されてからすぐに、ステップＳ２５０Ａ、Ｓ５６０の処理が行なわれることになる。そして、関連コンテンツが検索された場合、通信端末装置５００に関連コンテンツの情報が表示される。すなわち、コンテンツが再生されてからすぐに、関連コンテンツの情報を参照することができる。
【０３７９】
また、関連コンテンツ検索表示処理Ｔにおいて、ステップＳ５４４およびステップＳ５４５のいずれかの処理は行なわれなくてもよい。たとえば、関連コンテンツ検索表示処理Ｔにおいて、ステップＳ５４５の処理が行なわれない場合、ステップＳ５４３の処理により再生されるコンテンツがはじめて再生される場合でも、ステップＳ２５０Ａの処理は行なわれることになる。
【０３８０】
また、ステップＳ５６０Ａの関連コンテンツリスト送信処理Ｔにおいて、再生対象コンテンツＴは、一時停止されなくてもよい。これに伴い、ステップＳ５２２、Ｓ５２２Ａ、Ｓ５６２、Ｓ５６２Ａの処理は行なわれなくてもよい。これにより、映像表示装置６００の表示部６３０で再生対象コンテンツＴを再生した状態で、別の装置である通信端末装置５００において、再生対象コンテンツＴの関連コンテンツの情報を参照することができる。
【０３８１】
＜第２の実施の形態の変形例＞
次に、第２の実施の形態の処理において、第１の実施の形態の変形例で説明したのと同様な処理を行なう場合の処理について説明する。
【０３８２】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０３８３】
（関連コンテンツの検索）
次に、映像表示装置６００において再生されているコンテンツに対し関連性の高い関連コンテンツを検索し、関連コンテンツの情報を、通信端末装置５００において表示するための処理（以下、関連コンテンツ検索表示処理ともいう）について説明する。以下においては、関連コンテンツ検索表示処理において、通信端末装置５００で行なわれる処理を関連コンテンツ検索表示処理ＭＥともいう。また、関連コンテンツ検索表示処理において、映像表示装置６００で行なわれる処理を関連コンテンツ検索表示処理Ｔともいう。
【０３８４】
ここで、通信端末装置５００は、リモコンモードに設定されているとする。また、通信端末装置５００の表示部５３０には、図７のリモコン画像ＭＧ１００が表示されているとする。
【０３８５】
また、映像表示装置６００の記憶部６２０には、図９の録画データ管理テーブルＴＤ１００、図１０のＤＬコンテンツ管理テーブルＴＤ１１０、図１１のコンテンツ配信リストＳＤ２００、図１３の再生履歴テーブルＴＤ２００が記憶されているとする。
【０３８６】
図３１は、関連コンテンツ検索表示処理ＭＥおよび関連コンテンツ検索表示処理Ｔのフローチャートである。図３１を参照して、関連コンテンツ検索表示処理ＭＥは、図２７の関連コンテンツ検索表示処理Ｍと比較して、ステップＳ５２１の代わりにステップＳ５２１Ｅが行なわれる点が異なる。それ以外は、関連コンテンツ検索表示処理Ｍと同様なので詳細な説明は繰り返さない。また、図３１の関連コンテンツ検索表示処理Ｔは、図２７の関連コンテンツ検索表示処理Ｔと同じ処理なので詳細な説明は繰り返さない。
【０３８７】
ここで、ステップＳ５４３の処理により、図９の番号“１”の録画データ情報に対応する録画データが再生対象コンテンツＴとして再生されているとする。
【０３８８】
ステップＳ５６０Ａでは、図２７のステップＳ５６０Ａと同様に関連コンテンツリスト送信処理Ｔが行なわれるので詳細な説明は繰り返さない。この処理により、図２１の関連コンテンツリストＴＤ３１０Ａが通信端末装置５００へ送信されたとする。
【０３８９】
関連コンテンツ検索表示処理ＭＥでは、ステップＳ５２０において、図２１の関連コンテンツリストＴＤ３１０Ａを受信すると、ステップＳ５２１Ｅに進む。
【０３９０】
ステップＳ５２１Ｅでは、関連コンテンツ情報表示処理ＭＥが行なわれる。関連コンテンツ情報表示処理ＭＥでは、制御部５１０が、ＶＤＰ５３２を利用して、記憶部５２０に記憶されている関連コンテンツリストを構成する複数の関連コンテンツ情報をリスト表示した未再生関連コンテンツ情報表示画像を生成し、生成した未再生関連コンテンツ情報表示画像を、表示部５３０に表示させる。
【０３９１】
ここで、関連コンテンツリストは、図２１の関連コンテンツリストＴＤ３１０Ａであるとする。この場合、表示部５３０には、図２４の関連コンテンツ情報表示画像Ｇ２００Ａが表示される。
【０３９２】
関連コンテンツ情報表示画像Ｇ２００Ａが、表示部６３０に表示されることにより、再生済の関連コンテンツの情報と、未再生の関連コンテンツの情報とを容易に識別することができる。
（機能ブロック図）
図３２は、第１の実施の形態および第１の実施の形態の変形例における制御部６１０の機能ブロック図である。図３２を参照して、制御部６１０は、選択部６１１と、再生部６１３と、第１検索部６１５と、第２検索部６１７と、表示制御部６１９とを含む。
【０３９３】
選択部６１１は、複数のコンテンツのいずれかを選択する。再生部５１３は、選択部６１１により選択された選択コンテンツを再生し、該選択コンテンツを表示部６３０に表示させる。第１検索部６１５は、選択コンテンツに関連する関連コンテンツを、ネットワークにおいて検索する。第２検索部６１７は、関連コンテンツを、記憶部６２０から検索する。表示制御部６１９は、第１検索部６１５による検索に基づく情報と、第２検索部６１７による検索に基づく情報とを識別可能なように表示部６３０に表示させる。
【０３９４】
なお、制御部６１０に含まれる、選択部６１１、再生部６１３、第１検索部６１５、第２検索部６１７および表示制御部６１９の全てまたは一部は、ハードウエアで構成されてもよい。
【０３９５】
図３３は、第２の実施の形態および第２の実施の形態の変形例における、制御部６１０および制御部５１０の機能ブロック図である。図３３を参照して、制御部６１０は、選択部６１１と、第１再生部６１４と、第１検索部６１５と、第２検索部６１７と、送信部６１８とを含む。制御部５１０は、受信部５１１を含む。
【０３９６】
選択部６１１は、複数のコンテンツのいずれかを選択する。第１再生部６１４は、選択部６１１により選択された選択コンテンツを再生し、該選択コンテンツを表示部６３０に表示させる。第１検索部６１５は、選択コンテンツに関連する関連コンテンツを、ネットワークにおいて検索する。第２検索部６１７は、関連コンテンツを、記憶部６２０から検索する。送信部６１８は、第１検索部６１５による検索に基づく情報と、第２検索部６１７による検索に基づく情報とを、通信端末装置５００へ送信する。
【０３９７】
受信部５１１は、送信部６１８により送信された検索に基づく情報を受信する。
なお、制御部６１０に含まれる、選択部６１１、第１再生部６１４、第１検索部６１５、第２検索部６１７および送信部６１８の全てまたは一部は、ハードウエアで構成されてもよい。また、制御部５１０に含まれる受信部５１１は、ハードウエアで構成されてもよい。
【０３９８】
なお、本発明では、録画データに関連する関連コンテンツを検索する処理を説明した。しかしながら、これに限定されることなく、録画データ以外のコンテンツ（たとえば、リアルタイムの放送番組、ＤＬコンテンツ、ＶＯＤコンテンツ）に関連する関連コンテンツを検索する場合においても本発明は適用可能である。たとえば、リアルタイムの放送番組に関連する関連コンテンツを検索する場合は、ＥＰＧデータ等により放送番組のタイトルを取得して、関連コンテンツを検索すればよい。
【０３９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０４００】
【図１】本実施の形態におけるネットワークシステムの構成を示す図である。
【図２】通信端末装置の外観を正面から示した図である。
【図３】通信端末装置の外観を背面から示した図である。
【図４】通信端末装置の内部構成を示したブロック図である。
【図５】映像表示装置の内部構成を示したブロック図である。
【図６】サービスサーバの内部構成を示したブロック図である。
【図７】一例としてのリモコン画像を示す図である。
【図８】操作判定処理Ｍおよび制御信号対応処理Ｔのフローチャートである。
【図９】一例としての録画データ管理テーブルを示す図である。
【図１０】一例としてのＤＬコンテンツ管理テーブルを示す図である。
【図１１】一例としてのコンテンツ配信リストを示す図である。
【図１２】コンテンツ再生処理Ｔのフローチャートである。
【図１３】一例としての再生履歴テーブルを示す図である。
【図１４】関連コンテンツ検索処理Ｔのフローチャートである。
【図１５】一例としての録画リスト画像を示す図である。
【図１６】検索処理Ｔのフローチャートである。
【図１７】一例としての関連コンテンツリストを示す図である。
【図１８】一例としての関連コンテンツリストを示す図である。
【図１９】一例としての関連コンテンツリストを示す図である。
【図２０】一例としての関連コンテンツリストを示す図である。
【図２１】一例としての関連コンテンツリストを示す図である。
【図２２】一例としての未再生関連コンテンツ情報表示画像を示す図である。
【図２３】関連コンテンツ検索処理ＴＡのフローチャートである。
【図２４】一例としての関連コンテンツ情報表示画像を示す図である。
【図２５】コンテンツ再生処理Ｍのフローチャートである。
【図２６】一例としての再生履歴テーブルを示す図である。
【図２７】関連コンテンツ検索表示処理Ｍおよび関連コンテンツ検索表示処理Ｔのフローチャートである。
【図２８】一例としての再生履歴テーブルを示す図である。
【図２９】検索処理ＴＡのフローチャートである。
【図３０】一例としての再生装置選択画像を示す図である。
【図３１】関連コンテンツ検索表示処理ＭＥおよび関連コンテンツ検索表示処理Ｔのフローチャートである。
【図３２】第１の実施の形態および第１の実施の形態の変形例における制御部の機能ブロック図である。
【図３３】第２の実施の形態および第２の実施の形態の変形例における、異なる２つの制御部の機能ブロック図である。
【符号の説明】
【０４０１】
５０  通信部、７０  ネットワーク、１８０，１８０Ａ，１８０Ｂ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008227947.tif 000003
【図２】
2008227947.tif 000004
【図３】
2008227947.tif 000005
【図４】
2008227947.tif 000006
【図５】
2008227947.tif 000007
【図６】
2008227947.tif 000008
【図７】
2008227947.tif 000009
【図８】
2008227947.tif 000010
【図９】
2008227947.tif 000011
【図１０】
2008227947.tif 000012
【図１１】
2008227947.tif 000013
【図１２】
2008227947.tif 000014
【図１３】
2008227947.tif 000015
【図１４】
2008227947.tif 000016
【図１５】
2008227947.tif 000017
【図１６】
2008227947.tif 000018
【図１７】
2008227947.tif 000019
【図１８】
2008227947.tif 000020
【図１９】
2008227947.tif 000021
【図２０】
2008227947.tif 000022
【図２１】
2008227947.tif 000023
【図２２】
2008227947.tif 000024
【図２３】
2008227947.tif 000025
【図２４】
2008227947.tif 000026
【図２５】
2008227947.tif 000027
【図２６】
2008227947.tif 000028
【図２７】
2008227947.tif 000029
【図２８】
2008227947.tif 000030
【図２９】
2008227947.tif 000031
【図３０】
2008227947.tif 000032
【図３１】
2008227947.tif 000033
【図３２】
2008227947.tif 000034
【図３３】
2008227947.tif 000035